(57)【要約】【課題】運転設定に関する操作性を一層向上させる。【解決手段】実施形態の衣類処理装置は、運転に関する各種の情報および運転に関する各種の操作を受け付けるための操作キーが含まれた各種の画面を表示する表示部を有する操作表示器と、表示部への表示を制御するとともに操作キーに対する操作に応じて所定の制御を行う制御部と、を備える。制御部は、表示部に運転に対応したコースを選択するための画面であり、コースごとに対応して設けられた複数のコースアイコンが一方向に並ぶように表示されるコース一覧表示領域とコース一覧表示領域を除く領域に設けられコースに関する情報が表示されるコース情報表示領域とが含まれるコース選択画面を表示させるようになっており、所定のコースアイコンに対する操作が行われると、そのコースアイコンに対応したコースに関する情報をコース情報表示領域に表示させる。【選択図】図５
2019208890.tif 000002
【特許請求の範囲】
【請求項１】
衣類に対する所定の処理を行うための運転を実行する衣類処理装置であって、
前記運転に関する各種の情報および前記運転に関する各種の操作を受け付けるための操作キーが含まれた各種の画面を表示する表示部を有する操作表示器と、
前記表示部への表示を制御するとともに、前記操作キーに対する操作に応じて所定の制御を行う制御部と、
を備え、
前記制御部は、
前記表示部に、前記運転に対応したコースを選択するための画面であり、前記コースごとに対応して設けられた複数のコースアイコンが一方向に並ぶように表示されるコース一覧表示領域と前記コース一覧表示領域を除く領域に設けられ前記コースに関する情報が表示されるコース情報表示領域とが含まれるコース選択画面を表示させるようになっており、
所定の前記コースアイコンに対する操作が行われると、そのコースアイコンに対応した前記コースに関する情報を前記コース情報表示領域に表示させる衣類処理装置。
【請求項２】
前記コース情報表示領域には、全ての行程を表す行程表示を一方向に時系列に並ぶように表示させた行程情報表示領域が含まれている請求項１に記載の衣類処理装置。
【請求項３】
前記制御部は、前記コース選択画面上に、前記コースの内容を設定するためのコース詳細画面へと遷移させるための前記操作キーである設定変更キーを表示させる請求項１または２に記載の衣類処理装置。
【請求項４】
前記制御部は、前記行程情報表示領域を、前記コースの内容を設定するためのコース詳細画面へと遷移させるための前記操作キーである設定変更キーとして機能させる請求項２に記載の衣類処理装置。
【請求項５】
前記制御部は、前記コース選択画面上に、前記運転を開始するための前記操作キーであるスタートキーを表示させる請求項１から４のいずれか一項に記載の衣類処理装置。
【発明の詳細な説明】
【技術分野】
【０００１】
本発明の実施形態は、衣類処理装置に関する。
【背景技術】
【０００２】
例えば洗濯機などの衣類処理装置において、その運転設定に関する操作性を向上させるため、タッチパネル式の液晶操作パネルを設けた構成が提案されている。しかし、このような従来の構成では、各行程（洗濯、すすぎ、乾燥など）の詳細内容の設定を変更するため、行程ごとに専用の画面が用意されている。したがって、ユーザは、各行程の詳細内容の設定を変更する際には、画面の切り替えを行うための操作を頻繁に行わなければならない。このように、従来の構成では、運転設定に関する操作性が十分に高められておらず、この点において改善の余地があった。
【先行技術文献】
【特許文献】
【０００３】
【特許文献１】特許第５９３８８０６号公報
【発明の概要】
【発明が解決しようとする課題】
【０００４】
そこで、運転設定に関する操作性を一層向上させることができる衣類処理装置を提供する。
【課題を解決するための手段】
【０００５】
実施形態の衣類処理装置は、衣類に対する所定の処理を行うための運転を実行する衣類処理装置であって、前記運転に関する各種の情報および前記運転に関する各種の操作を受け付けるための操作キーが含まれた各種の画面を表示する表示部を有する操作表示器と、前記表示部への表示を制御するとともに、前記操作キーに対する操作に応じて所定の制御を行う制御部と、を備える。
【０００６】
前記制御部は、前記表示部に、前記運転に対応したコースを選択するための画面であり、前記コースごとに対応して設けられた複数のコースアイコンが一方向に並ぶように表示されるコース一覧表示領域と前記コース一覧表示領域を除く領域に設けられ前記コースに関する情報が表示されるコース情報表示領域とが含まれるコース選択画面を表示させるようになっており、所定の前記コースアイコンに対する操作が行われると、そのコースアイコンに対応した前記コースに関する情報を前記コース情報表示領域に表示させる。
【図面の簡単な説明】
【０００７】
【図１】一実施形態に係る洗濯機の構成を模式的に示す図
【図２】一実施形態に係る洗濯機の電気的構成を示す図
【図３】一実施形態に係るトップ画面の一例を示す図であり、洗濯運転が選択された状態を示す図
【図４】一実施形態に係るトップ画面の一例を示す図であり、洗濯乾燥運転が選択された状態を示す図
【図５】一実施形態に係る洗濯運転に対応するコース選択画面の一例を示す図
【図６】一実施形態に係る洗濯乾燥運転に対応するコース選択画面の一例を示す図
【図７】一実施形態に係る洗濯運転の標準コースに対応するコース詳細画面の一例を示す図
【図８】一実施形態に係る洗濯乾燥運転の標準コースに対応するコース詳細画面の一例を示す図
【図９】一実施形態に係る洗濯乾燥運転の標準コースに対応するコース詳細画面の一例を示す図であり、洗い行程の実施を無しにした状態を示す図
【図１０】一実施形態に係る洗濯乾燥運転の標準コースに対応するコース詳細画面の一例を示す図であり、洗い時間が初期設定から変更された状態を示す図
【図１１】一実施形態に係る乾燥設定画面の一例を示す図
【図１２】一実施形態に係るふろ水設定画面の一例を示す図
【図１３】一実施形態に係る本体設定画面の一例を示す図
【図１４】一実施形態に係る温水設定画面の一例を示す図
【図１５】一実施形態に係る予約設定画面の一例を示す図
【図１６】一実施形態に係るトップ画面の一例を示す図であり、温水設定が初期設定から変更された状態を示す図
【図１７】一実施形態に係る予約設定が行われた際に表示される表示画面の一例を示す図
【図１８】一実施形態に係る運転中画面の一例を示す図であり、洗い行程を実行中の状態を示す図
【図１９】一実施形態に係る運転中画面の一例を示す図であり、すすぎ行程を実行中の状態を示す図
【図２０】一実施形態に係る運転中画面の一例を示す図であり、脱水行程を実行中の状態を示す図
【図２１】一実施形態に係る運転中画面の一例を示す図であり、乾燥行程を実行中の状態を示す図
【図２２】一実施形態に係る一時停止中画面の一例を示す図
【図２３】一実施形態に係る運転の一時停止中におけるコース詳細画面の一例を示す図
【図２４】トップ画面の変形例１を示す図
【図２５】トップ画面の変形例２を示す図
【図２６】トップ画面の変形例３を示す図
【図２７】コース選択画面の変形例１を示す図であり、洗濯乾燥運転に対応するコース選択画面の一例を示す図
【図２８】コース選択画面の変形例２を示す図であり、洗濯乾燥運転に対応するコース選択画面の一例を示す図
【図２９】コース詳細画面の変形例１を示す図
【図３０】コース詳細画面の変形例２を示す図であり、洗濯乾燥運転の標準コースに対応するコース詳細画面の一例を示す図
【図３１】コース詳細画面の変形例３を示す図であり、洗濯乾燥運転の標準コースに対応するコース詳細画面の一例を示す図
【図３２】コース詳細画面の変形例４を示す図であり、洗い設定画面の一例を示す図
【図３３】コース詳細画面の変形例４を示す図であり、すすぎ設定画面の一例を示す図
【図３４】コース詳細画面の変形例４を示す図であり、脱水設定画面の一例を示す図
【図３５】運転中画面の変形例１を示す図であり、洗濯乾燥運転の標準コースで運転が実行されている状態を示す図
【図３６】運転中画面の変形例２を示す図であり、洗濯乾燥運転の標準コースで運転が実行されている状態を示す図
【発明を実施するための形態】
【０００８】
以下、衣類処理装置の一実施形態について図面を参照して説明する。
図１に示すように、本実施形態の洗濯機１は、衣類に対して洗濯、すすぎ、脱水、乾燥などの処理を行うための運転を実行することができるものであり、衣類処理装置の一例である。具体的には、洗濯機１は、洗濯運転、乾燥運転および洗濯乾燥運転を実行することが可能となっている。
【０００９】
洗濯機１は、乾燥機能を備えたドラム式洗濯乾燥機であって、筐体２、扉３、図２に符号４を付して示す制御装置、操作パネル５などを備えている。この場合、筐体２に対して扉３側を洗濯機１の前側とし、扉３と反対側を洗濯機１の後側とする。また、前後方向に対する直角水平方向を左右方向とする。また、前後方向および左右方向に直交する方向を上下方向とする。
【００１０】
洗濯機１の本体を構成する筐体２は、前面が滑らかに傾斜した矩形の箱状に形成されている。筐体２の前面中央部分には、開口６が設けられている。開口６は、筐体２の内部に設けられた図示しない回転槽に連通されている。洗濯物は、この開口６を通して回転槽内に出し入れされる。
【００１１】
扉３は、開口６を開閉可能に設けられている。扉３は、図示しない扉ボタンが操作されることにより開放される。筐体２の上面には、給水口７が設けられている。給水口７は、図示しない給水ホースによって水源となる水道の蛇口に接続される。そして、水道の蛇口からの水は、給水ホースおよび給水口７を通って、筐体２内に設けられた図示しない水槽内へ供給される。
【００１２】
制御装置４は、例えばマイクロコンピュータを主体に構成されたものであり、ＲＯＭなどの記憶装置に記憶されているコンピュータプログラムを実行することにより洗濯機１の動作全般を制御する。制御装置４は、図２に示すように、モータ１１、排水弁１２、給水弁１３、圧縮機１４および送風機１５などに接続されている。それぞれ詳細な説明は省略するが、モータ１１は、筐体２内に設けられた図示しない回転槽を回転させるためのものである。
【００１３】
排水弁１２は、図示しない水槽内の水を機外へ排水するためのものである。給水弁１３は、給水口７と図示しない水槽内との連通を開閉し、水槽内へ給水を行うためのものである。圧縮機１４は、乾燥機能用のヒートポンプユニットを構成するものである。送風機１５は、ヒートポンプユニットにより生成された温風を図示しない回転槽内へ供給するためのものである。
【００１４】
また、制御装置４は、温度センサ１６、水位センサ１７、回転センサ１８、扉スイッチ１９などの入力機器および操作パネル５に接続されている。それぞれ詳細な説明は省略するが、温度センサ１６は、図示しない水槽内の温度を検出するものである。水位センサ１７は、水槽内の水位を検出するものである。回転センサ１８は、図示しない回転槽の回転位置および回転速度を検出するものである。扉スイッチ１９は、扉３の開閉を検出するものである。
【００１５】
図１に示すように、操作パネル５は、筐体２の上面前側に設けられている。操作パネル５は、例えば液晶ディスプレイからなる矩形状の表示部２０を備えている。この場合、洗濯機１の前後方向に沿う方向を表示部２０の上下方向とし、洗濯機１の左右方向に沿う方向を表示部２０の左右方向とする。
【００１６】
表示部２０には、洗濯機１の運転に関する各種の情報が含まれた各種の画面が表示される。表示部２０の表示面は、ユーザによるタッチ操作が可能なタッチパネルとしても機能する。表示部２０には、洗濯機１の運転に関する各種の操作を受け付けるための操作キーが含まれた各種の画面が表示される。ユーザは、上記操作キーをタッチ操作することにより、洗濯機１の運転に関する各種の操作を行うことができる。
【００１７】
このように、操作パネル５は、運転に関する各種の情報および運転に関する各種の操作を受け付けるための操作キーが含まれた各種の画面を表示するためのものであり、操作表示器に相当する。本実施形態では、表示部２０のタッチパネルとしては、手指で触れた際に発生する静電容量の変化をセンサで感知する静電容量方式のタッチパネルが採用されている。なお、表示部２０のタッチパネルとしては、例えば抵抗膜方式など、各種の方式を採用することができる。また、表示部２０は、液晶ディスプレイに限らずともよく、例えば有機ＥＬディスプレイなど、各種の表示装置を採用することができる。
【００１８】
制御装置４は、表示制御用のプログラムを実行することにより、操作パネル５の表示部２０への表示を制御する。また、制御装置４は、表示部２０に表示された上記操作キーに対する操作に応じて、運転の種類の選択、コースの選択、コースの内容の設定、運転の開始や一時停止など、様々な制御を実行する。このように、制御装置４は、表示部２０への表示を制御するとともに、上記操作キーに対する操作に応じて所定の制御を行うものであり、制御部に相当する。
【００１９】
次に、上記構成における表示部２０への表示に関する制御の内容について説明する。
［１］トップ画面について
ユーザにより図示しない電源スイッチが操作されると、洗濯機１への電源が投入される。そして、電源投入後、表示部２０には、図３および図４に示すようなトップ画面が表示される。なお、以下では、表示部２０のことを画面とも呼ぶこととする。
【００２０】
このトップ画面は、電源投入後、最初の入力操作が行われる前の表示画面であり、運転の種類を選択するための運転種類選択画面に相当する。トップ画面および後述する各種の画面において、画面の上端部は、共通のヘッダー部２１となっている。ヘッダー部２１には、現在選択されている運転の名称、時刻、ドアロックの実施有無、外部の機器との間で行われる無線通信に関する電波状態など、各種のステータスが常時固定表示される。
【００２１】
トップ画面において、画面中央部には、洗濯運転を選択するための操作キーである洗濯運転アイコン２２、洗濯乾燥運転を選択するための操作キーである洗濯乾燥運転アイコン２３および乾燥運転を選択するための操作キーである乾燥運転アイコン２４が配置されている。
【００２２】
この場合、洗濯運転アイコン２２、洗濯乾燥運転アイコン２３および乾燥運転アイコン２４は、画面の左から、この順に並ぶように並列に配置されている。なお、これら３つのアイコンの並び順は適宜入れ替え可能である。また、運転の選択状態に応じて３つのアイコンの並び順が変更されるようにしてもよい。例えば、その時点で選択されているアイコンが常に中央に配置されるように、各アイコンの配置を随時変更するようにしてもよい。
【００２３】
洗濯運転アイコン２２、洗濯乾燥運転アイコン２３および乾燥運転アイコン２４は、運転の種類ごとに対応して設けられた複数の運転種類アイコンに相当する。これら複数の運転種類アイコンに対する操作が行われることにより、その運転種類アイコンに対応する運転が選択される、つまり運転の種類が決定されることになる。
【００２４】
具体的には、洗濯運転アイコン２２に対する操作が行われると洗濯運転が選択され、洗濯乾燥運転アイコン２３に対する操作が行われると洗濯乾燥運転が選択され、乾燥運転アイコン２４に対する操作が行われると乾燥運転が選択される。なお、このような運転の種類の選択および決定は、運転が開始されるまでの期間には何度でも行うことができる。
【００２５】
制御装置４は、所定の運転種類アイコンに対する操作が行われると、その操作された運転種類アイコンを、操作されていない運転種類アイコンに対して相対的に大きく表示させるようになっている。また、制御装置４は、所定の運転種類アイコンに対する操作が行われると、その操作された運転種類アイコンへの操作が可能となる操作可能領域を、操作されていない運転種類アイコンへの操作が可能となる操作可能領域に対して相対的に大きくするようになっている。
【００２６】
したがって、洗濯運転アイコン２２に対する操作が行われると、図３に示すように、洗濯運転アイコン２２は、操作されていない洗濯乾燥運転アイコン２３および乾燥運転アイコン２４に比べて大きく表示される。また、このとき、洗濯運転アイコン２２に対応する操作可能領域２２ａは、操作されていない洗濯乾燥運転アイコン２３に対応する操作可能領域２３ａおよび乾燥運転アイコン２４に対応する操作可能領域２４ａに比べて大きくなる。
【００２７】
また、洗濯乾燥運転アイコン２３に対する操作が行われると、図４に示すように、洗濯乾燥運転アイコン２３は、操作されていない洗濯運転アイコン２２および乾燥運転アイコン２４に比べて大きく表示される。また、このとき、洗濯乾燥運転アイコン２３に対応する操作可能領域２３ａは、操作されていない洗濯運転アイコン２２に対応する操作可能領域２２ａおよび乾燥運転アイコン２４に対応する操作可能領域２４ａに比べて大きくなる。
【００２８】
制御装置４は、所定の運転種類アイコンに対する操作が行われると、その操作された運転種類アイコンに対応した運転について選択されているコースの名称および当該コースに対応したアイコンを表示させるようになっている。具体的には、洗濯運転アイコン２２に対する操作が行われると、図３に示すように、洗濯運転アイコン２２が、洗濯運転について現在選択されているコースの名称（この場合、標準コース）およびそのコースに対応したアイコン（この場合、Ｔシャツを模式的に表すようなアイコン）を含むような表示に変化する。
【００２９】
また、洗濯乾燥運転アイコン２３に対する操作が行われると、図４に示すように、洗濯乾燥運転アイコン２３が、洗濯乾燥運転について現在選択されているコースの名称（この場合、標準コース）およびそのコースに対応したアイコン（この場合、Ｔシャツを模式的に表すようなアイコン）を含むような表示に変化する。
【００３０】
制御装置４は、所定の運転種類アイコンに対する操作が１度行われることにより、その所定の運転種類アイコンに対応した運転を選択し、１度操作が行われた所定の運転種類アイコンに対する操作が再び行われることにより、その運転に対応したコースを選択するためのコース選択画面を表示させるようになっている。
【００３１】
したがって、図３に示すように、洗濯運転アイコン２２に対する操作が１度行われている状態で、さらに洗濯運転アイコン２２に対する操作が行われると、洗濯運転に対応したコースを選択するためのコース選択画面（図５参照）が表示される、つまり図５に示すようなコース選択画面へと遷移する。
【００３２】
また、図４に示すように、洗濯乾燥運転アイコン２３に対する操作が１度行われている状態で、さらに洗濯乾燥運転アイコン２３に対する操作が行われると、洗濯乾燥運転に対応したコースを選択するためのコース選択画面（図６参照）が表示される、つまり図６に示すようなコース選択画面へと遷移する。
【００３３】
トップ画面および後述する各種の画面において、画面の下端部は、共通のフッター部２５となっている。フッター部２５には、設定キー２６、照明オンオフキー２７、温水設定キー２８、予約設定キー２９、コース選択キー３０、スタートキー３１が、左からこの順で画面の横方向に一列に並ぶように配置されている。
【００３４】
これら４つの操作キーが配置される領域３２は、表示部２０の端部に設けられ且つ少なくとも１つの操作キーが配置される領域であり、端部領域に相当する。制御装置４は、領域３２に配置される４つの操作キー（設定キー２６、照明オンオフキー２７、温水設定キー２８および予約設定キー２９）を表示する際、常に同じ位置に表示させるようになっている。なお、これら４つの操作キーに関する詳細は、後述する。
【００３５】
コース選択キー３０は、コース選択画面へと遷移させるための操作キーである。この場合、コース選択キー３０が操作されると、その時点において選択されている運転に対応したコースを選択するためのコース選択画面へと遷移するようになっている。具体的には、図３に示すように、洗濯運転が選択された状態で、コース選択キー３０に対する操作が行われると、洗濯運転に対応したコースを選択するためのコース選択画面（図５参照）へと遷移する。また、図４に示すように、洗濯乾燥運転が選択された状態で、コース選択キー３０に対する操作が行われると、洗濯乾燥運転に対応したコースを選択するためのコース選択画面（図６参照）へと遷移する。
【００３６】
スタートキー３１は、運転を開始するための操作キーであり、画面の端部、より具体的には画面の右下の端に表示されている。制御装置４は、スタートキー３１を表示する際、常に同じ位置に表示させるようになっている。なお、制御装置４は、少なくとも、運転種類選択画面であるトップ画面、コース選択画面および後述するコース詳細画面において、スタートキー３１を共通の位置に表示させるようになっていればよい。
【００３７】
この場合、運転の種類ごとに互いに異なる色が対応付けられている。例えば、洗濯運転には青色が対応付けられ、洗濯乾燥運転には緑色が対応付けられ、乾燥運転には橙色が対応付けられている。これら対応付ける色は、例えば洗濯運転は水を連想させる青系統の色（例えば青色、水色）とし、例えば乾燥運転は温風を連想させる赤系統の色（例えば橙色、赤色）とする、といった具合に、各運転のイメージに合致するような色に設定するとよい。
【００３８】
制御装置４は、所定の運転種類アイコンに対する操作が行われて、その操作された運転種類アイコンに対応した運転が選択されると、その時点で表示されている画面上（この場合、トップ画面）および以降に表示される画面（例えばコース選択画面など）上の任意の領域について、その選択された運転に対応付けられた色と同系色の背景表示とするようになっている。
【００３９】
トップ画面では、ヘッダー部２１、運転種類アイコンが配置された領域およびフッター部２５、つまりトップ画面の全ての領域について、選択された運転に対応付けられた色と同系色の背景表示となっている。ただし、この場合、ヘッダー部２１および運転種類アイコンが配置された領域の背景色は、フッター部２５の背景色に比べ、濃い色とされている。
【００４０】
制御装置４は、運転が実行されてから洗濯機１への電源が再投入された後に表示させるトップ画面では、その実行された運転（前回の運転）に対応した運転種類アイコンが選択された状態とする。ただし、制御装置４は、前回の運転が乾燥運転であった場合、このような制御を実施しなくともよい。なぜなら、乾燥運転は、洗濯運転および洗濯乾燥運転に比べ、その使用頻度が低いからである。
【００４１】
また、制御装置４は、運転が実行されてから洗濯機１への電源が再投入された後に表示させるトップ画面では、洗濯運転、洗濯乾燥運転および乾燥運転のそれぞれについて、前回の運転におけるコースが選択されている状態とする。そして、制御装置４は、所定の運転種類アイコンが選択されると、その選択された運転種類アイコンを、前回の運転におけるコースの名称およびそのコースに対応したアイコンを含むような表示に変化させる。
【００４２】
例えば、前回実施された洗濯運転がメモリーコースであり、前回実施された洗濯乾燥運転が標準コースである場合、制御装置４は、電源再投入後のトップ画面において、洗濯運転アイコン２２が選択された状態になると、洗濯運転アイコン２２をメモリーコースの名称およびメモリーコースに対応したアイコンを含むような表示に変化させる。また、この場合、制御装置４は、電源再投入後のトップ画面において、洗濯乾燥運転アイコン２３が選択された状態になると、洗濯乾燥運転アイコン２３を標準コースの名称および標準コースに対応したアイコンを含むような表示に変化させる。
【００４３】
ただし、制御装置４は、前回の運転のコースが標準コースおよびメモリーコース以外のコースであった場合、このような制御を実施しなくともよい。なぜなら、標準コースおよびメモリーコース以外のコースは、標準コースおよびメモリーコースに比べて、その使用頻度が低いからである。例えば、制御装置４は、前回の運転のコースが標準コースおよびメモリーコース以外のコースであった場合、標準コースが選択された状態とし、選択された状態の運転種類アイコンを、標準コースの名称および標準コースに対応したアイコンを含むような表示に変更させるようにしてもよい。
【００４４】
なお、このような前回実施された運転の種類、コースなどは、制御装置４を構成するマイクロコンピュータ内に設けられた不揮発性メモリに記憶させておけばよい。また、マイクロコンピュータの外部にＥＥＰＲＯＭなどの不揮発性メモリが設けられた構成であれば、その外部のＥＥＰＲＯＭに運転の種類、コースなどを記憶させてもよい。この場合、マイクロコンピュータは、各種のシリアル通信を介してＥＥＰＲＯＭに対し、運転の種類、コースなどのデータの書き込み、読み出しを行えばよい。
【００４５】
［２］コース選択画面について
前述したように、トップ画面において、所定の運転種類アイコンに対する操作が２度行われた場合、または、コース選択キー３０に対する操作が行われた場合、その時点において選択されている運転に対応したコースを選択するためのコース選択画面へと遷移する。なお、ここでは、洗濯運転に対応するコース選択画面および洗濯乾燥運転に対応するコース選択画面を例にコース選択画面の内容を説明するが、他のコース選択画面についても同様の内容となっている。
【００４６】
図５および図６に示すように、コース選択画面では、トップ画面と同様のヘッダー部２１およびフッター部２５が設けられている。ただし、コース選択画面のフッター部２５には、コース選択キー３０に代えて閉じるキー３３が設けられている。閉じるキー３３は、コース選択画面を閉じてトップ画面に戻るための操作キーである。したがって、閉じるキー３３に対する操作が行われると、コース選択画面からトップ画面へと遷移する。
【００４７】
コース選択画面は、ユーザが、コースの概要と行程内容を参照しながらコースを選択することができるような表示となっている。具体的には、コース選択画面において、画面中央部の上側には、コースごとに対応して設けられた複数のコースアイコン３４が画面の横方向に並ぶように表示されるコース一覧表示領域３５が設けられている。
【００４８】
図５に示す洗濯運転に対応するコース選択画面では、標準コース、つけおきコース、スピードコース、メモリーコース、とっても柔らかコースのそれぞれに対応するコースアイコン３４が表示されている。また、図６に示す洗濯乾燥運転に対応するコース選択画面では、標準コース、つけおきコース、スピードコース、メモリーコース、少量６０分コースのそれぞれに対応するコースアイコン３４が表示されている。
【００４９】
各コースアイコン３４は、それぞれのコースを連想させ得る表示態様となっている。例えば、標準コースのコースアイコン３４は、洗濯物の一例であるＴシャツを模式的に表す表示態様となっている。また、つけおきコースのコースアイコン３４は、水を溜めた容器にＴシャツがつけられた状態を表す表示態様となっている。
【００５０】
なお、コース選択画面において設定可能なコースの種類は、実際には、これら以外にも存在しており、コース一覧表示領域３５の右端に設けられた矢印アイコン３６の操作に応じて、他のコースに対応するコースアイコンを表示させることができるようになっている。
【００５１】
また、コース選択画面において、画面中央部の下側には、コースに関する情報が表示されるコース情報表示領域３７が設けられている。つまり、コース情報表示領域３７は、コース選択画面において、コース一覧表示領域３５を除く領域に設けられている。コース情報表示領域３７には、全ての行程を表す行程表示を画面の横方向に時系列に並ぶように表示させた行程情報表示領域３８が含まれている。
【００５２】
具体的には、図５に示す洗濯運転に対応したコース選択画面における行程情報表示領域３８には、洗い行程を表す行程表示である洗いアイコン３９、すすぎ行程を表す行程表示であるすすぎアイコン４０および脱水行程を表す行程表示である脱水アイコン４１が、左からこの順で、つまり時系列に並ぶように配置されている。
【００５３】
また、図６に示す洗濯乾燥運転に対応したコース選択画面における行程情報表示領域３８には、洗いアイコン３９、すすぎアイコン４０、脱水アイコン４１および乾燥行程を表す行程表示である乾燥アイコン４２が、左からこの順で一列に並ぶように配置されている。さらに、図５および図６に示すように、行程情報表示領域３８には、ふろ水の設定状況を表すための表示も含まれている。
【００５４】
上述した各行程表示（洗いアイコン３９、すすぎアイコン４０、脱水アイコン４１および乾燥アイコン４２）には、それぞれ異なる色が対応付けられている。具体的には、洗いアイコン３９には濃い青色が対応付けられ、すすぎアイコン４０には薄い青色が対応付けられ、脱水アイコン４１には水色が対応付けられ、乾燥アイコン４２には橙色が対応付けられている。制御装置４は、洗いアイコン３９、すすぎアイコン４０、脱水アイコン４１および乾燥アイコン４２について、それぞれに対応付けられた色で表示させるようになっている。
【００５５】
コース選択画面では、ヘッダー部２１、コース一覧表示領域３５およびフッター部２５について、選択された運転に対応付けられた色と同系色の背景表示となっている。ただし、この場合、ヘッダー部２１およびコース一覧表示領域３５の背景色は、フッター部２５の背景色に比べ、濃い色とされている。
【００５６】
制御装置４は、所定のコースアイコン３４に対する操作が行われると、その操作されたコースアイコン３４に対応したコースを選択するとともに、その操作されたコースアイコン３４の表示色を反転させる。これにより、ユーザは、その時点において選択されているコースがどのコースであるのかを容易に認識することができる。
【００５７】
また、制御装置４は、所定のコースアイコン３４に対する操作が行われると、その操作されたコースアイコン３４に対応したコースに関する情報をコース情報表示領域３７に表示させるようになっている。したがって、標準コースに対応するコースアイコン３４に対する操作が行われると、図５に示すように、標準コースに対応するコースアイコン３４の表示色が反転されるとともに、標準コースに関する各種の情報がコース情報表示領域３７に表示される。
【００５８】
前述した通り、コース選択画面上にも、スタートキー３１が表示されている。そして、コース選択画面において、スタートキー３１の上側の位置、つまり画面の下部右端には、設定変更キー４３が表示されている。設定変更キー４３は、コースの内容を設定するためのコース詳細画面へと遷移させるための操作キーである。
【００５９】
この場合、設定変更キー４３が操作されると、その時点において選択されているコースの内容を設定するためのコース詳細画面へと遷移するようになっている。具体的には、図５に示すように、洗濯運転に対応するコース選択画面において標準コースが選択された状態で、設定変更キー４３に対する操作が行われると、洗濯運転の標準コースに対応したコース詳細画面（図７参照）へと遷移する。また、図６に示すように、洗濯乾燥運転に対応するコース選択画面において標準コースが選択された状態で、設定変更キー４３に対する操作が行われると、洗濯乾燥運転の標準コースに対応したコース詳細画面（図８参照）へと遷移する。
【００６０】
この場合、制御装置４は、行程情報表示領域３８を、コース詳細画面へと遷移させるための操作キー、つまり設定変更キー４３と同等の操作キーとして機能させるようになっている。したがって、行程情報表示領域３８に対する操作が行われると、その時点において選択されているコースの内容を設定するためのコース詳細画面へと遷移する。
【００６１】
［３］コース詳細画面について
前述したように、コース選択画面において、設定変更キー４３または行程情報表示領域３８に対する操作が行われた場合、その時点において選択されているコースの内容を設定するためのコース詳細画面へと遷移する。なお、ここでは、洗濯運転の標準コースに対応するコース詳細画面および洗濯乾燥運転の標準コースに対応するコース詳細画面を例にコース詳細画面の内容を説明するが、他のコース詳細画面についても同様の内容となっている。
【００６２】
図７〜図１０に示すように、コース詳細画面では、コース選択画面と同様のヘッダー部２１およびフッター部２５が設けられている。コース詳細画面では、ヘッダー部２１およびフッター部２５について、選択された運転に対応付けられた色と同系色の背景表示となっている。ただし、この場合、ヘッダー部２１の背景色は、フッター部２５の背景色に比べ、濃い色とされている。
【００６３】
コース詳細画面は、ユーザが、選択しているコースの詳細な内容を確認するとともに、その内容を設定（変更）することができるような表示となっている。具体的には、コース選択画面において、画面中央部には、コースの詳細な内容およびコースの設定を行うための各種の操作キーが表示される領域４４が設けられている。
【００６４】
制御装置４は、領域４４に、コースの名称、全ての行程を表す行程表示、各行程の条件を表す行程条件表示、各行程の条件を変更するための操作キーである行程条件変更キーなどを表示させる。具体的には、図７〜図１０に示すコース詳細画面における領域４４において、画面上部の右端には、戻るキー４５が表示されている。戻るキー４５は、コース詳細画面を閉じて一つ前の画面、つまりコース選択画面に戻るための操作キーである。したがって、戻るキー４５に対する操作が行われると、コース詳細画面からコース選択画面へと遷移する。
【００６５】
図７に示すコース詳細画面における領域４４には、洗い行程を表す行程表示である洗いアイコン４６、すすぎ行程を表す行程表示であるすすぎアイコン４７および脱水行程を表す行程表示である脱水アイコン４８が、画面の左からこの順に横方向に並ぶように、つまり時系列に並ぶように配置されている。図８〜図１０に示すコース詳細画面における領域４４には、洗いアイコン４６、すすぎアイコン４７、脱水アイコン４８および乾燥行程を表す行程表示である乾燥アイコン４９が、左からこの順に横方向に並ぶように、つまり時系列に並ぶように配置されている。
【００６６】
上述した各行程表示（洗いアイコン４６、すすぎアイコン４７、脱水アイコン４８および乾燥アイコン４９）には、コース選択画面における各行程表示と同様、それぞれ異なる色が対応付けられている。制御装置４は、洗いアイコン４６、すすぎアイコン４７、脱水アイコン４８および乾燥アイコン４９について、それぞれに対応付けられた色で表示させるようになっている。
【００６７】
図７に示すコース詳細画面における領域４４において、洗いアイコン４６の下方には洗い行程の条件を表す行程条件表示「自動（１４分）」が表示され、すすぎアイコン４７の下方にはすすぎ行程の条件を表す行程条件表示「自動（２回）」が表示され、脱水アイコン４８の下方には脱水行程の条件を表す行程条件表示「自動（３回）」が表示される。
【００６８】
図８〜図１０に示すコース詳細画面における領域４４において、洗いアイコン４６の下方には洗い行程の条件を表す行程条件表示「自動（１４分）」が表示され、すすぎアイコン４７の下方にはすすぎ行程の条件を表す行程条件表示「自動（２回）」が表示され、脱水アイコン４８の下方には脱水行程の条件を表す行程条件表示「自動」が表示され、乾燥アイコン４９の下方には乾燥行程の条件を表す行程条件表示「省エネ」が表示される。このように、制御装置４は、行程表示を画面の横方向に時系列に並ぶように表示させるとともに、行程条件表示を行程表示に対して並設するように表示させる。
【００６９】
洗いアイコン４６の下方において、行程条件表示を挟んで上下に、行程条件変更キーに相当する加算キー５０および減算キー５１が配置されている。行程条件表示の上側に位置する加算キー５０は、洗い時間を増やすための操作キーであり、加算キー５０が１回操作される毎に洗い時間が１分増加するようになっている。
【００７０】
また、行程条件表示の下側に位置する減算キー５１は、洗い時間を減らすための操作キーであり、減算キー５１が１回操作される毎に、洗い時間が１分減少するようになっている。図７および図８などに示すコース詳細画面において、ユーザは、加算キー５０および減算キー５１を操作することにより、洗い行程における洗い時間を所望する時間に設定（変更）することができる。
【００７１】
すすぎアイコン４７の下方において、行程条件表示を挟んで上下に、行程条件変更キーに相当する加算キー５２および減算キー５３が配置されている。行程条件表示の上側に位置する加算キー５２は、すすぎ回数を増やすための操作キーであり、加算キー５２が１回操作される毎に、すすぎ回数が１回増加するようになっている。
【００７２】
また、行程条件表示の下側に位置する減算キー５３は、すすぎ回数を減らすための操作キーであり、減算キー５３が１回操作される毎に、すすぎ回数が１回減少するようになっている。図７および図８などに示すコース詳細画面において、ユーザは、加算キー５２および減算キー５３を操作することにより、すすぎ行程におけるすすぎ回数を所望する回数に設定（変更）することができる。
【００７３】
脱水アイコン４８の下方において、行程条件表示を挟んで上下に、行程条件変更キーに相当する加算キー５４および減算キー５５が配置されている。行程条件表示の上側に位置する加算キー５４は、脱水時間を増やすための操作キーであり、加算キー５４が１回操作される毎に、脱水時間が１分増加するようになっている。
【００７４】
また、行程条件表示の下側に位置する減算キー５５は、脱水時間を減らすための操作キーであり、減算キー５５が１回操作される毎に、脱水時間が１分減少するようになっている。図７に示すコース詳細画面において、ユーザは、加算キー５４および減算キー５５を操作することにより、脱水行程における脱水時間を所望する時間に設定（変更）することができる。
【００７５】
なお、図８〜図１０に示す洗濯乾燥運転の標準コースに対応するコース詳細画面には、加算キー５４および減算キー５５は表示されない。これは、洗濯乾燥運転における脱水時間のユーザによる変更を不可とする洗濯機１の仕様に起因している。したがって、図８〜図１０に示すコース詳細画面において、ユーザは、脱水行程における脱水時間を設定（変更）することはできない。
【００７６】
乾燥アイコン４９の下方に表示される行程条件表示５６は、乾燥行程の条件を設定（変更）するための操作キー（行程条件変更キー）としても機能する。この場合、行程条件表示５６に対する操作が行われると、乾燥行程の条件を設定するための乾燥設定画面が表示されるようになっている。なお、乾燥設定画面の内容については後述する。
【００７７】
制御装置４は、領域４４に、各行程についての実施の有無を設定するための操作キーである行程オンオフキーを表示させるようになっている。具体的には、図７に示すコース詳細画面における領域４４では、減算キー５１、５３、５５の下方には、それぞれ行程オンオフキー５７、５８、５９が配置されている。また、図８〜図１０に示すコース詳細画面における領域４４では、減算キー５１、５３の下方には、それぞれ行程オンオフキー５７、５８が配置されている。
【００７８】
行程オンオフキー５７、５８、５９は、それぞれ洗い行程、すすぎ行程、脱水行程の実施の有無を設定するための操作キーである。ユーザは、行程オンオフキー５７を操作することにより、洗い行程を実施する設定と実施しない設定とを切り替えることができる。ユーザは、行程オンオフキー５８を操作することにより、すすぎ行程を実施する設定と実施しない設定とを切り替えることができる。ユーザは、行程オンオフキー５９を操作することにより、脱水行程を実施する設定と実施しない設定とを切り替えることができる。
【００７９】
行程オンオフキー５７〜５９の操作により、対応する行程を実施する設定となっている場合、行程オンオフキー５７〜５９は、行程を実施する旨を表すような表示態様となる。例えば、行程オンオフキー５７の操作により洗い行程を実施する設定となっている場合、図７および図８に示すように、行程オンオフキー５７上に、対応する行程を実施する旨を表す「ＯＮ」が表示される。
【００８０】
行程オンオフキー５７〜５９の操作により、対応する行程を実施しない設定となっている場合、行程オンオフキー５７〜５９は、行程を実施しない旨を表すような表示態様となる。例えば、行程オンオフキー５７の操作により洗い行程を実施しない設定となっている場合、図９に示すように、行程オンオフキー５７上に、対応する行程を実施しない旨を表す「ＯＦＦ」が表示される。
【００８１】
また、このとき、洗い行程の条件を表す行程条件表示と、加算キー５０および減算キー５１とが、薄いグレーで表示された、いわゆるグレーアウトの状態となり、洗い行程の条件に関する設定の変更を受け付けない状態となる。つまり、制御装置４は、行程オンオフキー５７〜５９が操作されることにより、それに対応する行程の実施が無しに設定されると、その行程の条件を変更するための行程条件変更キーによる操作の受付を無効化するようになっている。
【００８２】
また、制御装置４は、行程条件変更キーが操作されることにより、その行程条件変更キーに対応する行程の条件が変更された後、行程オンオフキーが操作されることにより、行程の実施が無しに設定されると、行程条件変更キーの操作に応じて設定された行程の条件を初期化するようになっている。
【００８３】
例えば、加算キー５０および減算キー５１の一方または双方が操作されることにより、図１０に示すように、洗い行程における洗い時間が初期設定である「自動（１４分）」から「５分」へと変更されたとする。この状態から、行程オンオフキー５７が操作されることにより洗い行程を実施しない設定（図９に示す状態）とされると、洗い行程における洗い時間は初期設定である「自動（１４分）」へと自動的に変更される、つまり初期化される。したがって、この後、再び行程オンオフキー５７が操作されることにより、洗い行程を実施する設定とされると、図８に示すように、洗い行程の条件を表す行程条件表示には、初期設定である「自動（１４分）」が表示される。
【００８４】
領域４４の中央部右端には、給水手法としてのふろ水の設定を変更するための操作キーであるふろ水設定キー６０が配置されている。ふろ水設定キー６０には、その時点におけるふろ水の設定状況（図７などでは「なし」）が表示される。この場合、ふろ水設定キー６０に対する操作が行われると、ふろ水に関する設定を行うためのふろ水設定画面が表示されるようになっている。なお、ふろ水設定画面の内容については後述する。
【００８５】
領域４４において、戻るキー４５の左側には、設定クリアキー６１が配置されている。設定クリアキー６１は、全ての行程の条件を初期化するための操作キーである。ただし、設定クリアキー６１は、各行程の条件がいずれも変更されておらず全て初期設定のままである場合、図７〜図９に示すように、グレーアウトの状態となり、制御装置４が、その操作を受け付けない状態となる。
【００８６】
設定クリアキー６１は、各行程の条件の少なくとも１つが変更されている場合、図１０に示すように、通常の表示状態となり、制御装置４が、その操作を受け付ける状態となる。したがって、この状態において、設定クリアキー６１に対する操作が行われると、全ての行程の条件が初期設定へと自動的に変更される、つまり初期化される。
【００８７】
［４］乾燥設定画面について
前述したように、コース詳細画面において、行程条件表示５６に対する操作が行われた場合、乾燥設定画面が表示される。例えば、図８に示すコース詳細画面において、行程条件表示５６に対する操作が行われると、図１１に示すように、コース詳細画面上に重なる形で乾燥設定画面が表示される。乾燥設定画面の大きさは、コース詳細画面よりも小さくなっており、コース詳細画面の一部は表示されている。なお、この場合、コース詳細画面に表示されているスタートキー３１の少なくとも一部は、乾燥設定画面により覆われている。
【００８８】
ただし、この場合、コース詳細画面は、影がかけられた状態、つまりグレーアウトの状態となり、スタートキー３１を含む全ての操作キーに対する操作を受け付けない状態となる。つまり、制御装置４は、スタートキー３１が表示されている画面であるコース詳細画面上に別の画面である乾燥設定画面を重ねて表示させる際、スタートキー３１による操作の受付を無効化するようになっている。
【００８９】
乾燥設定画面には、複数の乾燥仕上がり設定（この場合、省エネ、お急ぎ、上質乾燥、念入り、タイマー）のそれぞれに対応するアイコン６２が配置されている。ユーザは、これらのアイコン６２のうち、所望する設定に対応するアイコンを操作することにより、乾燥行程の条件を所望するものに設定することができる。
【００９０】
なお、タイマーに対応するアイコン６２を挟んで上下には、乾燥時間を増減するための２つの操作キーが配置されている。ユーザは、これらの操作キーを操作することにより、乾燥仕上がり設定をタイマーにする場合における乾燥時間を所望する時間に設定することができる。
【００９１】
乾燥設定画面には、乾燥仕上がり設定に関する情報が表示される設定情報表示領域６３が設けられている。制御装置４は、所定のアイコン６２に対する操作が行われると、その操作されたアイコン６２を強調表示するとともに、その操作されたアイコン６２に対応する乾燥仕上がり設定に関する情報を設定情報表示領域６３に表示させるようになっている。
【００９２】
具体的には、「省エネ」に対応するアイコン６２に対する操作が行われると、図１１に示すように、「省エネ」に対応するアイコン６２の外枠が、他のアイコン６２の外枠に比べ、太い線で表示される。また、このとき、設定情報表示領域６３には、乾燥仕上がり設定「省エネ」についての概略的な内容が表示される。これにより、ユーザは、現在選択されている乾燥仕上がり設定を容易に認識することができるとともに、その設定の概要を把握することができる。
【００９３】
乾燥設定画面の下部左側には閉じるキー６４が配置され、下部右側には決定キー６５が配置されている。閉じるキー６４は、乾燥設定画面での設定変更の操作を反映せずに、乾燥設定画面を閉じるための操作キーである。決定キー６５は、乾燥設定画面での設定変更の操作を反映したうえで、乾燥設定画面を閉じるための操作キーである。
【００９４】
［５］ふろ水設定画面について
前述したように、コース詳細画面において、ふろ水設定キー６０に対する操作が行われた場合、ふろ水設定画面が表示される。例えば、図８に示すコース詳細画面において、ふろ水設定キー６０に対する操作が行われると、図１２に示すように、コース詳細画面上に重なる形でふろ水設定画面が表示される。ふろ水設定画面の大きさは、コース詳細画面よりも小さくなっており、コース詳細画面の一部は表示されている。なお、この場合、コース詳細画面に表示されているスタートキー３１の少なくとも一部は、ふろ水設定画面により覆われている。
【００９５】
ただし、この場合、コース詳細画面は、影がかけられた状態、つまりグレーアウトの状態となり、スタートキー３１を含む全ての操作キーに対する操作を受け付けない状態となる。つまり、制御装置４は、スタートキー３１が表示されている画面であるコース詳細画面上に別の画面であるふろ水設定画面を重ねて表示させる際、スタートキー３１による操作の受付を無効化するようになっている。
【００９６】
ふろ水設定画面には、複数のふろ水設定（この場合、なし、洗い、洗いとすすぎ１、すすぎ１）のそれぞれに対応するアイコン６７が配置されている。ユーザは、これらのアイコン６７のうち、所望する設定に対応するアイコンを操作することにより、ふろ水設定を所望するものに設定することができる。
【００９７】
ふろ水設定画面には、ふろ水設定に関する情報が表示される設定情報表示領域６８が設けられている。制御装置４は、所定のアイコン６７に対する操作が行われると、その操作されたアイコン６７を強調表示するとともに、その操作されたアイコン６７に対応するふろ水設定に関する情報を設定情報表示領域６８に表示させるようになっている。
【００９８】
具体的には、「なし」に対応するアイコン６７に対する操作が行われると、図１２に示すように、「なし」に対応するアイコン６７の外枠が、他のアイコン６７の外枠に比べ、太い線で表示される。また、このとき、設定情報表示領域６８には、ふろ水設定「なし」についての概略的な内容が表示される。これにより、ユーザは、現在選択されているふろ水設定を容易に認識することができるとともに、その設定の概要を把握することができる。
【００９９】
ふろ水設定画面の下部左側には閉じるキー６９が配置され、下部右側には決定キー７０が配置されている。閉じるキー６９は、ふろ水設定画面での設定変更の操作を反映せずに、ふろ水設定画面を閉じるための操作キーである。決定キー７０は、ふろ水設定画面での設定変更の操作を反映したうえで、ふろ水設定画面を閉じるための操作キーである。
【０１００】
［６］フッター部の４つの操作キーについて
前述した通り、トップ画面、コース選択画面およびコース詳細画面には、同様のフッター部２５が設けられており、そのフッター部２５の領域３２には、コース選択キー３０およびスタートキー３１とは異なる４つの操作キー（設定キー２６、照明オンオフキー２７、温水設定キー２８および予約設定キー２９）が配置されている。つまり、これら４つの操作キーは、運転が開始される前の各種の表示画面において、常に固定表示されている。なお、これら４つの操作キーは、洗濯機１の運転に関する設定を行うための操作キーであり、使用頻度が比較的高い操作キーである。
【０１０１】
設定キー２６は、洗濯機１に関わる各種の設定を行うための操作キーである。設定キー２６に対する操作が行われると、図１３に示すような本体設定画面へと遷移する。本体設定画面では、液晶ディスプレイの輝度を設定するための「表示の明るさ設定」、洗濯機１の時計時刻を設定するための「時刻設定」、強制的にドアロックするための「チャイルドロック」などを実行することができる。
【０１０２】
照明オンオフキー２７は、洗濯機１の槽内を照らすための照明（例えばＬＥＤ）をオン（点灯）またはオフ（消灯）するための操作キーである。照明オンオフキー２７の操作に応じて照明をオンすることにより、洗濯機１の槽内がＬＥＤの光で照らされ、薄暗い槽内を明るくし、ユーザによる洗濯物（衣類）の出し入れに寄与することができる。
【０１０３】
温水設定キー２８は、運転において用いられる水の温度を設定するための操作キーである。温水設定キー２８に対する操作が行われると、洗濯運転または洗濯乾燥運転の洗い行程において水温を何度まで加熱するかなどの設定を行うための温水設定画面が表示される。
【０１０４】
例えば、図８に示すコース詳細画面において、温水設定キー２８に対する操作が行われると、図１４に示すように、コース詳細画面上に重なる形で温水設定画面が表示される。温水設定画面の大きさは、コース詳細画面よりも小さくなっており、コース詳細画面の一部は表示されている。なお、この場合、コース詳細画面に表示されているスタートキー３１の少なくとも一部は、温水設定画面により覆われている。
【０１０５】
ただし、この場合、コース詳細画面は、影がかけられた状態、つまりグレーアウトの状態となり、スタートキー３１を含む全ての操作キーに対する操作を受け付けない状態となる。つまり、制御装置４は、スタートキー３１が表示されている画面であるコース詳細画面上に別の画面である温水設定画面を重ねて表示させる際、スタートキー３１による操作の受付を無効化するようになっている。
【０１０６】
温水設定画面には、複数の温水設定（この場合、なし、１５℃、３０℃、４０℃、５０℃、６０℃除菌）のそれぞれに対応するアイコン７１が配置されている。ユーザは、これらのアイコン７１のうち、所望する設定に対応するアイコンを操作することにより、温水設定を所望するものに設定することができる。
【０１０７】
温水設定画面には、温水設定に関する情報が表示される設定情報表示領域７２が設けられている。制御装置４は、所定のアイコン７１に対する操作が行われると、その操作されたアイコン７１を強調表示するとともに、その操作されたアイコン７１に対応する温水設定に関する情報を設定情報表示領域７２に表示させるようになっている。
【０１０８】
具体的には、「なし」に対応するアイコン７１に対する操作が行われると、図１４に示すように、「なし」に対応するアイコン７１の外枠が、他のアイコン７１の外枠に比べ、太い線で表示される。また、このとき、設定情報表示領域７２には、温水設定「なし」についての概略的な内容が表示される。これにより、ユーザは、現在選択されている温水設定を容易に認識することができるとともに、その設定の概要を把握することができる。
【０１０９】
温水設定画面の下部左側には閉じるキー７３が配置され、下部右側には決定キー７４が配置されている。閉じるキー７３は、温水設定画面での設定変更の操作を反映せずに、温水設定画面を閉じるための操作キーである。決定キー７４は、温水設定画面での設定変更の操作を反映したうえで、温水設定画面を閉じるための操作キーである。
【０１１０】
予約設定キー２９は、運転の予約に関する設定を行うための操作キーである。予約設定キー２９に対する操作が行われると、図１５に示すような予約設定画面が表示される。運転の終了時刻などを設定するための予約設定画面が表示される。予約設定画面の大きさは、トップ画面、コース選択画面およびコース詳細画面よりも小さくなっている。ただし、この場合、トップ画面、コース選択画面およびコース詳細画面のほぼ全域が予約設定画面により覆われている。
【０１１１】
予約設定画面には、複数の予約設定（この場合、なし、おはよう予約、おかえり予約、外から予約）のそれぞれに対応するアイコン７５が配置されている。ユーザは、これらのアイコン７５のうち、所望する設定に対応するアイコンを操作することにより、予約設定を所望するものに設定することができる。
【０１１２】
また、予約設定画面には、運転の終了時刻を設定するための４つの操作キー７６〜７９が設けられるとともに、設定した終了時刻を表示する時刻表示領域８０が設けられている。さらに、予約設定画面には、現在選択されている運転およびコースについて、現時点において設定可能な終了時刻を表す設定可能時間表示領域８１が設けられている。ユーザは、時刻表示領域７７に表示される時刻および設定可能時間表示領域８１に表示される設定可能な終了時刻を確認しながら、４つの操作キー７６を操作することにより、運転の終了時刻を所望する時刻に設定することができる。
【０１１３】
予約設定画面には、予約設定に関する情報が表示される設定情報表示領域８２が設けられている。制御装置４は、所定のアイコン７５に対する操作が行われると、その操作されたアイコン７５を強調表示するとともに、その操作されたアイコン７５に対応する予約設定に関する情報を設定情報表示領域８２に表示させるようになっている。
【０１１４】
具体的には、「おはよう予約」に対応するアイコン７５に対する操作が行われると、図１５に示すように、「おはよう予約」に対応するアイコン７５の外枠が、他のアイコン７５の外枠に比べ、太い線で表示される。また、このとき、設定情報表示領域８２には、予約設定「おはよう予約」についての概略的な内容が表示される。これにより、ユーザは、現在選択されている予約設定を容易に認識することができるとともに、その設定の概要を把握することができる。
【０１１５】
予約設定画面の下部左側には閉じるキー８３が配置され、下部右側には決定キー８４が配置されている。閉じるキー８３は、予約設定画面での設定変更の操作を反映せずに、予約設定画面を閉じるための操作キーである。決定キー８４は、予約設定画面での設定変更の操作を反映したうえで、予約設定画面を閉じるための操作キーである。なお、この場合、決定キー８４が操作されることにより、予約運転が開始されるようになっている。このようにする理由は、次の通りである。
【０１１６】
すなわち、仮に、決定キー８４が操作された際に運転前の各種画面へと遷移するようにした場合、その後、コース内容などに変更が加えられる可能性が生じる。予約設定が行われた状態で、コース内容などに変更が加えられると、設定された終了時刻までに運転を終了することができなくなるおそれがある。そこで、本実施形態では、このような事態、つまり予約設定実行後にコース内容などに変更が加えられて予約した終了時刻までに運転が終了できなくなる事態を防止するため、決定キー８４が操作されると、予約運転が開始されるようにしている。
【０１１７】
制御装置４は、上述した４つの操作キーのうち、照明オンオフキー２７、温水設定キー２８および予約設定キー２９による操作に応じて初期設定とは異なる設定が実行されると、その操作された操作キーの表示態様を変更する。なお、通常、４つの操作キーの背景色は、濃いグレーとなっている。例えば、照明オンオフキー２７による操作に応じて、照明の設定が、初期設定である「オフ」から「オン」へと変更された場合、照明オンオフキー２７の表示態様が変更される。具体的には、この場合、照明オンオフキー２７は、その背景色が濃いグレーから、照明がオンされたことを連想させ得る色（例えば黄色）へと変更される。
【０１１８】
また、温水設定キー２８による操作に応じて、温水設定が、初期設定である「なし」から「５０℃」へと変更された場合、温水設定キー２８の表示態様が変更される。具体的には、この場合、図１６に示すように、温水設定キー２８の背景色が濃いグレーから、温水を連想させ得る色（例えば赤色）へと変更されるとともに、温水設定キー２８上に「５０℃」という表示が加えられる。
【０１１９】
また、予約設定キー２９による操作に応じて、予約設定が初期設定である「なし」から「おかえり予約」へと変更されるとともに、その終了時刻が「１９：００」に設定された場合、予約設定キー２９の表示態様が変更される。具体的には、この場合、図１７に示すように、予約設定キー２９の背景色が濃いグレーから薄いグレーへと変更されるとともに、予約設定キー２９上に「１９：００」という表示が加えられる。
【０１２０】
なお、図１７は、洗濯乾燥運転の標準コースで予約設定された際に表示される表示画面である。このように、制御装置４は、温水設定キー２８および予約設定キー２９による操作に応じて初期設定とは異なる設定が実行されると、その実行された設定の状態（ステータス）を表すように操作キーの表示態様を変更するようになっている。
【０１２１】
［７］運転中画面について
前述した通り、運転前の画面であるトップ画面、コース選択画面およびコース詳細画面には、いずれもスタートキー３１が表示されている。これら運転前の画面において、スタートキー３１に対する操作が行われると、その時点において選択されている運転種類およびコースでの運転が開始される。
【０１２２】
運転が開始されると、以下で説明するような内容の運転中画面が表示される。なお、この場合、洗濯乾燥運転の標準コースに対応する運転中画面を例に運転中画面の内容を説明するが、他の運転中画面についても同様の内容となっている。図１８〜図２１に示すように、運転の実行中に表示される運転中画面では、運転前の各種画面（トップ画面、コース選択画面およびコース詳細画面）と同様のヘッダー部２１およびフッター部２５が設けられている。ただし、運転中画面のフッター部２５には、コース選択キー３０およびスタートキー３１に代えて一時停止キー８５が設けられている。
【０１２３】
一時停止キー８５は、運転を一時停止するための操作キーである。この場合、一時停止キー８５は、運転前の各種画面においてコース選択キー３０およびスタートキー３１が配置されていた領域に対応する領域に配置されている。なお、一時停止キー８５の配置はこのような配置に限らずともよく、例えば運転前の各種画面においてスタートキー３１が配置されていた領域の少なくとも一部を含む領域に配置されていればよい。一時停止キー８５に対する操作が行われると、運転が一時停止されるとともに、後述する一時停止中画面が表示される。
【０１２４】
運転中画面において、画面中央部の上側には、運転が終了するまでに要する時間である運転残り時間が表示される領域８６が設けられている。また、運転中画面において、画面中央の下側には、各行程の設定状況が表示されるとともに現在の運転の進行状況（行程の進行状況）が表示される行程状況表示部８７が設けられている。行程状況表示部８７には、現在進行中の行程を含む運転における全行程を表す行程表示が、画面の横方向に時系列に並ぶように表示されている。
【０１２５】
具体的には、図１８〜図２１に示す運転中画面では、行程状況表示部８７には、洗い行程を表す行程表示である洗いアイコン８８、すすぎ行程を表す行程表示であるすすぎアイコン８９、脱水行程を表す脱水アイコン９０および乾燥行程を表す行程表示である乾燥アイコン９１が、左からこの順で、つまり時系列に並ぶように配置されている。
【０１２６】
上述した各行程表示（洗いアイコン８８、すすぎアイコン８９、脱水アイコン９０および乾燥アイコン９１）には、コース選択画面などにおける各行程表示と同様、それぞれ異なる色が対応付けられている。制御装置４は、運転中画面の任意の領域について、実行中の行程に対応付けられた色と同系色の背景表示とするようになっている。なお、この場合、画面の端を含む領域であるヘッダー部２１および領域８６が実行中の行程に対応付けられた色と同系色の背景表示とされる任意の領域となっている。つまり、この場合、制御装置４は、上記任意の領域に運転残り時間を表示させるようになっている。
【０１２７】
したがって、運転中画面のヘッダー部２１および領域８６の背景色は、洗い行程の実行中には洗い行程に対応付けられた色と同系色の色とされ、すすぎ行程の実行中にはすすぎ行程に対応付けられた色と同系色の色とされ、脱水行程の実行中には脱水行程に対応付けられた色と同系色の色とされ、乾燥行程の実行中には乾燥行程に対応付けられた色と同系色の色とされる。
【０１２８】
制御装置４は、洗いアイコン８８、すすぎアイコン８９、脱水アイコン９０および乾燥アイコン９１のうち、実施済みの行程に対応するアイコンおよび実行中の行程に対応するアイコンの背景色を、それぞれに対応付けられた色とするようになっている。また、制御装置４は、洗いアイコン８８、すすぎアイコン８９、脱水アイコン９０および乾燥アイコン９１のうち、未だ実行されていない行程、つまり未実施の行程に対応するアイコンの背景色を白色とするようになっている。
【０１２９】
洗いアイコン８８、すすぎアイコン８９、脱水アイコン９０および乾燥アイコン９１の下方には、各行程の実施状況が表示される。具体的には、洗いアイコン８８の下方には、洗い行程が実施済みである場合にはチェックマーク「レ」が表示され、洗い行程が実行中である場合には洗い行程が終了するまでに要する時間である行程残り時間が表示され、洗い行程が未実施である場合には設定されている洗い時間である設定洗い時間が表示される。
【０１３０】
すすぎアイコン８９の下方には、すすぎ行程が実施済みである場合にはチェックマーク「レ」が表示され、すすぎ行程が実行中である場合にはすすぎ行程が終了するまでに要する回数である行程残り回数が表示され、すすぎ行程が未実施である場合には設定されているすすぎ回数である設定すすぎ回数が表示される。
【０１３１】
脱水アイコン９０の下方には、脱水行程が実施済みである場合にはチェックマーク「レ」が表示され、脱水行程が実行中である場合には脱水行程が終了するまでに要する時間である行程残り時間が表示され、脱水行程が未実施である場合には設定されている脱水時間である設定脱水時間が表示される。
【０１３２】
乾燥アイコン９１の下方には、乾燥行程が実施済みである場合にはチェックマーク「レ」が表示され、乾燥行程が実行中である場合には乾燥行程が終了するまでに要する時間である行程残り時間が表示され、乾燥行程が未実施である場合には設定されている乾燥仕上がり設定が表示される。
【０１３３】
行程状況表示部８７において、乾燥アイコン９１の右側には、ふろ水による給水を表すふろ水アイコン９２が配置されている。ふろ水アイコン９２の下方には、ふろ水による給水が実施済みである場合にはチェックマーク「レ」が表示され、ふろ水による給水の実行中またはふろ水による給水が未実施である場合にはふろ水の設定内容が表示される。
【０１３４】
例えば、洗い行程を実行中の運転中画面では、図１８に示すように、洗いアイコン８８の下方には洗い行程の行程残り時間である「１０分」が表示され、すすぎアイコン８９の下方には設定すすぎ回数である「２回」が表示され、脱水アイコン９０の下方には設定脱水時間である「３分」が表示され、乾燥アイコン９１の下方には乾燥仕上がり設定である「省エネ」が表示され、ふろ水アイコン９２の下方にはふろ水設定内容である「洗い」が表示される。
【０１３５】
このとき、領域８６には運転残り時間である「２時間００分」が表示され、ヘッダー部２１および領域８６は実行中の行程である洗い行程に対応付けられた色と同系色の背景表示とされる。また、このとき、洗いアイコン８８には洗い行程に対応付けられた色の背景色が付与され、すすぎアイコン８９、脱水アイコン９０および乾燥アイコン９１には背景色が付与されず白色の背景とされる。
【０１３６】
また、すすぎ行程を実行中の運転中画面では、図１９に示すように、洗いアイコン８８の下方にはチェックマーク「レ」が表示され、すすぎアイコン８９の下方にはすすぎ行程の行程残り回数である「１回」が表示され、脱水アイコン９０の下方には設定脱水時間である「３分」が表示され、乾燥アイコン９１の下方には乾燥仕上がり設定である「省エネ」が表示され、ふろ水アイコン９２の下方にはチェックマーク「レ」が表示される。
【０１３７】
このとき、領域８６には運転残り時間である「１時間３０分」が表示され、ヘッダー部２１および領域８６は実行中の行程であるすすぎ行程に対応付けられた色と同系色の背景表示とされる。また、このとき、洗いアイコン８８には洗い行程に対応付けられた色の背景色が付与され、すすぎアイコン８９にはすすぎ行程に対応付けられた色の背景色が付与され、脱水アイコン９０および乾燥アイコン９１には背景色が付与されず白色の背景とされる。
【０１３８】
また、脱水行程を実行中の運転中画面では、図２０に示すように、洗いアイコン８８およびすすぎアイコン８９の下方にはいずれもチェックマーク「レ」が表示され、脱水アイコン９０の下方には脱水行程の行程残り時間である「１分」が表示され、乾燥アイコン９１の下方には乾燥仕上がり設定である「省エネ」が表示され、ふろ水アイコン９２の下方にはチェックマーク「レ」が表示される。
【０１３９】
このとき、領域８６には運転残り時間である「１時間００分」が表示され、ヘッダー部２１および領域８６は実行中の行程である脱水行程に対応付けられた色と同系色の背景表示とされる。また、このとき、洗いアイコン８８には洗い行程に対応付けられた色の背景色が付与され、すすぎアイコン８９にはすすぎ行程に対応付けられた色の背景色が付与され、脱水アイコン９０には脱水行程に対応付けられた色の背景色が付与され、乾燥アイコン９１には背景色が付与されず白色の背景とされる。
【０１４０】
また、乾燥行程を実行中の運転中画面では、図２１に示すように、洗いアイコン８８、すすぎアイコン８９および脱水アイコン９０の下方にはいずれもチェックマーク「レ」が表示され、乾燥アイコン９１の下方には乾燥行程の行程残り時間である「３０分」が表示され、ふろ水アイコン９２の下方にはチェックマーク「レ」が表示される。
【０１４１】
このとき、領域８６には運転残り時間である「３０分」が表示され、ヘッダー部２１および領域８６は実行中の行程である乾燥行程に対応付けられた色と同系色の背景表示とされる。また、このとき、洗いアイコン８８には洗い行程に対応付けられた色の背景色が付与され、すすぎアイコン８９にはすすぎ行程に対応付けられた色の背景色が付与され、脱水アイコン９０には脱水行程に対応付けられた色の背景色が付与され、乾燥アイコン９１には乾燥行程に対応付けられた色の背景色が付与される。
【０１４２】
図１８〜図２１に示すように、運転中画面のフッター部２５には、運転前の各種画面と同様の４つの操作キーが配置される領域３２が設けられている。つまり、４つの操作キーである設定キー２６、照明オンオフキー２７、温水設定キー２８および予約設定キー２９は、運転前の各種画面および運転中画面のいずれにおいても、常に同じ位置に同じレイアウトで表示されている。
【０１４３】
ただし、運転中画面では、設定キー２６、温水設定キー２８および予約設定キー２９は、薄いグレーの背景色が付与された状態、いわゆるグレーアウトの状態となっており、制御装置４は、運転中画面では、設定キー２６、温水設定キー２８および予約設定キー２９による操作の受付を無効化するようになっている。したがって、ユーザは、運転の実行中、洗濯機１に関わる各種の設定、温水の設定および予約の設定を行うことができない。
【０１４４】
これに対し、照明オンオンキー２７は、濃いグレーの背景色が付与された状態となっており、制御装置４は、運転中画面においても、照明オンオフキー２７による操作の受付を有効化するようになっている。したがって、ユーザは、運転の実行中であっても、照明オンオフキー２７を操作することにより、照明のオンオフを切り替えることができる。
【０１４５】
［８］一時停止中画面について
前述したように、運転中画面において、一時停止キー８５に対する操作が行われると、運転が一時停止されるとともに、一時停止中画面が表示される。なお、この場合、洗濯乾燥運転の標準コースに対応する一時停止中画面を例に一時停止中画面の内容を説明するが、他の一時停止中画面についても同様の内容となっている。
【０１４６】
図２２に示す一時停止画面は、脱水行程の実行中に一時停止キー８５が操作された際に表示されるものである。図２２に示すように、一時停止中画面では、運転中画面と同様のヘッダー部２１およびフッター部２５が設けられている。ただし、一時停止中画面のフッター部２５には、一時停止キー８５に代えてスタートキー９３が設けられている。
【０１４７】
スタートキー９３は、運転を開始（再開）するための操作キーである。この場合、スタートキー９３は、運転中画面において一時停止キー８５が配置されていた領域に対応する領域に配置されている。なお、スタートキー９３の配置はこのような配置に限らずともよく、画面の下部右端を含む領域に配置されていればよい。スタートキー９３に対する操作が行われると、運転が再開されるとともに、再び運転中画面が表示される。
【０１４８】
一時停止中画面では、運転中画面と同様の領域８６および行程状況表示部８７が設けられている。なお、この場合、領域８６には、運転残り時間に代えて、運転が一時停止中であることを表すための文字「一時停止中」が表示される。そして、一時停止中画面の領域８６は、運転中画面の領域８６に比べ、その縦方向の長さ寸法が小さくなっている。また、一時停止中画面の行程状況表示部８７は、運転中画面の領域８６に比べ、その縦方向の長さ寸法が大きくなっている。
【０１４９】
つまり、制御装置４は、一時停止キー８５に対する操作が行われると、運転残り時間が表示された領域８６を縮小させるとともに、その縮小により確保された領域を行程状況表示部８７に割り当てることで、行程状況表示部８７を拡大させるようになっている。制御装置４は、行程状況表示部８７の拡大された領域、具体的には、ふろ水アイコン９２の上方に、設定変更キー９４を表示させるようになっている。
【０１５０】
設定変更キー９４は、設定変更キー４３と同様の操作キー、つまりコースの内容を設定するためのコース詳細画面へと遷移させるための操作キーである。したがって、ユーザは、運転の一時停止中、設定変更キー９４を操作することにより、コースの内容の変更（見直し）を行うことができる。
【０１５１】
ただし、一時停止中画面において設定変更キー９４に対する操作が行われることにより、表示されるコース詳細画面には、図２３に示すように、各行程の実施の有無を変更するための行程オンオフキーおよび設定クリアキー６１は表示されていない。つまり、制御装置４は、運転の一時停止中に表示されるコース詳細画面には、行程オンオフキーおよび設定クリアキー６１を表示させないようになっている。
【０１５２】
一時停止中画面のフッター部２５には、運転中画面と同様の４つの操作キーが配置される領域３２が設けられている。つまり、４つの操作キーである設定キー２６、照明オンオフキー２７、温水設定キー２８および予約設定キー２９は、運転中画面および一時停止中画面のいずれにおいても、常に同じ位置に同じレイアウトで表示されている。
【０１５３】
ただし、一時中画面では、照明オンオフキー２７だけでなく、設定キー２６についても、濃いグレーの背景色が付与された状態となっており、制御装置４は、一時停止中画面において、設定キー２６による操作の受付を有効化するようになっている。つまり、制御装置４は、設定キー２６について、運転の実行中には操作の受付を無効化するとともに、運転の一時停止中には操作の受付を有効化するようになっている。したがって、ユーザは、運転の一時停止中、設定キー２６を操作することにより、洗濯機１に関わる各種の設定を行うことができる。
【０１５４】
以上説明した本実施形態によれば、次のような効果が得られる。
制御装置４は、操作パネル５の画面の端部、より具体的には画面の下部右端に、運転を開始するためのスタートキー３１を表示させるようになっている。つまり、本実施形態では、画面の右下にスタートキー３１が配置される。一般に、人の視線の流れは、画面の左上から右下へと移行することが知られている。そのため、本実施形態のようにスタートキー３１が画面の右下に配置されることにより、その画面を見るユーザの視線の流れがスムーズに進行し、ユーザの目の流れについて負荷や混乱を招くことが防止される。したがって、ユーザは、各種の運転に関する設定を一通り眺めて確認し、その内容を把握したうえで最後にスタートキー３１を操作することができる。つまり、本実施形態の操作パネル５は、操作性の高い画面レイアウトとなっている。
【０１５５】
タッチパネル式の液晶ディスプレイとは別にスタートキーが設けられた従来の構成では、ユーザは、液晶ディスプレイから視線を離す必要が生じることから、その操作性および視認性が損なわれていた。これに対し、本実施形態によれば、液晶ディスプレイである表示部２０にスタートキー３１が表示（配置）されており、ユーザは、液晶ディスプレイ内で設定状況の把握を含めた一連の運転操作を完結することができるようになっている。
【０１５６】
また、スタートキー３１は、一般的な人の視線の流れに沿った形となるように画面の下部右端に配置されている。そのため、本実施形態によれば、ユーザによる運転設定に余分な負荷を与えることなく、操作性および利便性の高いユーザインターフェースを実現することができる。つまり、本実施形態によれば、洗濯機１の運転設定に関する視認性および操作性を一層向上させることができるという優れた効果が得られる。
【０１５７】
制御装置４は、スタートキー３１を表示する際、常に同じ位置に表示させるようになっている。つまり、制御装置４は、運転前の各種画面（トップ画面、コース選択画面およびコース詳細画面）において、スタートキー３１を共通の位置に表示させるようになっている。また、この場合、スタートキー３１の大きさも共通となっている。
【０１５８】
このようにすれば、ユーザは、運転前の各種画面のいずれにおいても、スタートキー３１がどこに配置されているのかを容易に理解することが可能となり、その視線を大きく移動させる必要がない。したがって、本実施形態によれば、ユーザの操作に関する理解に係る負荷を軽減するとともに、ユーザに余計な視線移動をさせることなく、所望する設定内容での運転を容易に実行することができる操作性の高いユーザインターフェースを実現することができる。
【０１５９】
液晶ディスプレイとは別にスタートキーが設けられた従来の構成では、スタートキーが独立していることから、ユーザは、現在の設定状態でスタートキーが有効であるか否か、つまり運転を開始できるか否かを容易に把握することができない。これに対し、本実施形態では、制御装置４は、スタートキー３１が表示されている画面上に別の画面（例えばふろ水設定画面、温水設定画面など）を重ねて表示させる際、スタートキー３１による操作の受付を無効化する。このような本実施形態によれば、ユーザは、スタートキー３１による操作が有効であるか否か、つまり運転を開始できるか否かを容易に判断することができ、操作性の高いユーザインターフェースを実現することができる。
【０１６０】
この場合、別の画面の大きさは、スタートキー３１が表示されている画面よりも小さくなっており、スタートキー３１が表示されている画面の一部は、ユーザにより視認可能となっている。ただし、スタートキー３１が表示されている画面は、グレーアウトの状態とされており、これにより、ユーザは、スタートキー３１による操作が無効である、つまり運転を開始することができない、ということを容易に認識することができる。また、このように、スタートキー３１が表示されている画面の一部が視認可能となっていることから、ユーザは、別の画面が重ねて表示された状態でも、その前に表示されていた画面がどのような画面であったのかを把握することができる。
【０１６１】
制御装置４は、トップ画面を表示させる際、コース選択画面へと遷移させるための操作キーであるコース選択キー３０を表示させるようになっている。ユーザは、洗濯機１の電源投入後、運転の種類、コースの種類およびコースの内容について変更する必要がなければ、トップ画面において、それらの内容を確認したうえで、スタートキー３１を操作することにより、そのまま運転を開始することができる。一方、コースの種類を変更する必要がある場合、ユーザは、トップ画面において、コース選択キー３０を操作してコース選択画面へと遷移させ、所望するコースを選択しなければならない。
【０１６２】
この場合、コース選択キー３０は、スタートキー３１と並んで、画面の下部右端に配置されている。このようにすれば、ユーザは、トップ画面において、画面中央部に表示される現在の運転種類などの設定状況を確認し、その後、僅かな視線移動でコース選択キー３０の位置を認識して操作することができる。つまり、本実施形態では、コース選択キー３０が画面の下部右端に配置されていることにより、ユーザは、負荷の無い視線移動によりコース選択画面へと遷移させることができる。
【０１６３】
制御装置４は、フッター部２５にコース選択キー３０およびスタートキー３１とは異なる操作キーであり且つ洗濯機１の運転に関わる設定を行うための４つの操作キー（設定キー２６、照明オンオフキー２７、温水設定キー２８および予約設定キー２９）が配置される領域３２を設け、それら４つの操作キーを表示する際、常に同じ位置に表示させるようになっている。このようにすれば、ユーザは、運転前の各種画面（トップ画面、コース選択画面およびコース詳細画面）および運転中画面のいずれにおいても、同じ位置に配置された４つの操作キーに対して同じ操作を行うことにより、それら４つの操作キーを用いた各種の設定を行うことが可能となる。
【０１６４】
例えば、ユーザは、コース選択画面において所望のコースを選択した後に温水設定を追加で実行したい場合、コース詳細画面において所望の行程動作を設定し終えた後に予約設定を実行した場合など、これらの設定を行うための温水設定キー２８および予約設定キー２９がフッター部２５の固定位置に表示されているため、それら操作キーの位置を容易に認識して迅速且つ確実に操作することができる。
【０１６５】
このように、本実施形態では、洗濯機１の運転に関わる設定を行うための４つの操作キーがフッター部２５の固定位置に表示され、運転前の各種画面および運転中画面のいずれからもアクセスできるレイアウトとなっており、４つの操作キーを操作する際に画面の切り替えを伴う必要がない。したがって、本実施形態によれば、洗濯機１の運転に関わる設定を行う際における視認性および操作性を向上させることができる。
【０１６６】
この場合、４つの操作キーは、運転中画面および一時停止中画面のいずれにおいても、同じ位置に配置されている。ただし、運転中画面では、設定キー２６、温水設定キー２８および予約設定キー２９は、薄いグレーの背景色が付与された状態とされ、制御装置４は、それらによる操作の受付を無効化するようになっている。また、運転中画面では、照明オンオフキー２７は、濃いグレーの背景色が付与された状態とされ、制御装置４は、その操作の受付を有効化するようになっている。
【０１６７】
また、一時停止中画面では、温水設定キー２８および予約設定キー２９は、薄いグレーの背景色が付与された状態とされ、制御装置４は、それらによる操作の受付を無効化するようになっている。また、一時停止中画面では、設定キー２６および照明オンオフキー２７は、濃いグレーの背景色が付与された状態とされ、制御装置４は、それらの操作の受付を有効化するようになっている。このようにすれば、ユーザは、運転中画面および一時停止中画面において、４つの操作キーのうち、どの操作キーが操作可能であり、どの操作キーが操作不可能であるのかを、それら操作キーの背景色により容易に判断することができる。
【０１６８】
制御装置４は、照明オンオフキー２７、温水設定キー２８および予約設定キー２９による操作に応じて初期設定とは異なる設定が実行されると、その操作キーの表示態様を変更するようになっている。このようにすれば、ユーザは、照明オンオフキー２７、温水設定キー２８または予約設定キー２９を操作して各種の設定を行った際、操作キーの表示態様が変更されることによって、自身が行った設定が確実に反映されていることを確認することができる。
【０１６９】
制御装置４は、温水設定キー２８および予約設定キー２９による操作に応じて初期設定とは異なる設定が実行されると、その実行された設定の状態を表すように、具体的には操作キー上に設定されたステータスが付与されるように、操作キーの表示態様を変更するようになっている。このようにすれば、ユーザは、温水設定キー２８または予約設定キー２９を操作して各種の設定を行った際、操作キーの表示態様を確認することによって、自身が行った設定状態（例えば、温水の温度、運転の終了時刻など）を容易に確認することができる。
【０１７０】
フッター部２５の領域３２に配置された４つの操作キーのうち、温水設定キー２８および予約設定キー２９は、洗濯機１の運転を実行するうえで重要なものとなる。まず、温水設定キー２８は、洗い行程に用いられる水温の設定が可能であり、その水温は洗浄性能に大きく関係する重要な要素である。そこで、本実施形態では、このような重要な要素に係る温水設定キー２８をフッター部２５に固定表示することにより、ユーザが頻繁に視認できるようにしている。
【０１７１】
また、予約設定キー２９は、ユーザが運転の予約設定（終了時刻の設定）を行うためのものであり、予約設定がなされた場合、その設定内容（終了時刻）の視認性を向上させることが望ましい。そこで、本実施形態では、このような重要な要素に係る予約設定キー２９をフッター部２５に固定表示することにより、ユーザが頻繁に視認できるようにしている。
【０１７２】
このように、本実施形態では、温水設定キー２８および予約設定キー２９は、運転前の各種画面、運転中画面および一時停止中画面のいずれにおいても、同じ位置、同じアイコン且つ同じレイアウトにて表示されるようになっている。このようにすれば、ユーザは、洗濯機１の運転において重要な設定である温水設定および予約設定について、その設定を行うための操作キーの位置を容易に視認できるとともに、その設定内容を容易に確認することができる。
【０１７３】
制御装置４は、複数の運転種類アイコン（洗濯運転アイコン２２、洗濯乾燥運転アイコン２３および乾燥運転アイコン２４）が配置されたトップ画面において、所定の運転種類アイコンに対する操作が行われると、その操作された運転種類アイコンを操作されていない運転種類アイコンに対して相対的に大きく表示させるようになっている。このようにすれば、ユーザは、どの運転を選択したのか、つまり現在の設定がどの運転であるのかを容易に認識することができる。
【０１７４】
このように操作された運転種類アイコンを拡大して表示した際、その操作が可能となる操作可能領域が拡大前の大きさのままであると、運転種類アイコンの大きさとその操作可能領域の大きさとの間に大きな差異が生じ、ユーザに違和感を与えるおそれがある。そこで、制御装置４は、所定の運転種類アイコンに対する操作が行われると、その操作された運転種類アイコンへの操作が可能となる操作可能領域を、操作されていない運転種類アイコンへの操作が可能となる操作可能領域に対して相対的に大きくするようになっている。このようにすれば、運転種類アイコンの大きさとその操作可能領域の大きさとの間に大きな差異が生じることがなくなり、ユーザに対して違和感を与えることを防止できる。
【０１７５】
制御装置４は、所定の運転種類アイコンに対する操作が行われると、その操作された運転種類アイコンに対応した運転について選択されているコースの名称およびそのコースに対応したアイコンを表示させる。より具体的には、制御装置４は、所定の運転種類アイコンに対する操作が行われると、その操作された運転種類アイコンを、対応した運転について選択されているコースの名称およびそのコースに対応したアイコンを含むような表示に変更する。このようにすれば、ユーザは、運転の種類に応じてどのようなコースが存在するのか、また現在選択されているコースがどのコースであるのかを、容易に認識することができる。
【０１７６】
トップ画面において、洗濯運転アイコン２２、洗濯乾燥運転アイコン２３および乾燥運転アイコン２４は、画面の左から、この順に並ぶように並列に配置されている。このようにすれば、ユーザにとって分かり易いレイアウトとなり、ユーザによる運転種類アイコンの操作性を向上させることができる。
【０１７７】
トップ画面のフッター部２５には、コース選択画面へ遷移させるための操作キーであるコース選択キー３０が設けられている。ユーザは、このコース選択キー３０を操作することによりコース選択画面を表示させることが可能である。しかし、画面中央部に設けられた所定の運転種類アイコンを操作することにより所望の運転を選択した後、その運転に対応するコースを選択するために画面下部右端に設けられたコース選択キー３０を操作する場合、ユーザの視線、手指などの移動距離が比較的長くなるおそれがある。
【０１７８】
そこで、制御装置４は、所定の運転種類アイコンに対する操作が１度行われることにより、その所定の運転種類アイコンに対応した運転を選択し、１度操作が行われた所定の運転種類アイコンに対する操作が再び行われることにより、その運転に対応したコースを選択するためのコース選択画面を表示させるようになっている。
【０１７９】
このようにすれば、所定の運転種類アイコンを１度操作することにより所望の運転を選択した後、その運転種類アイコンを再度操作することにより、その運転に対応するコースを選択するためのコース選択画面を表示させることができるため、ユーザの視線、手指などの移動距離が長くなるおそれがない。したがって、本実施形態によれば、コース選択画面を表示させる際における操作性を向上させることができる。
【０１８０】
本実施形態では、運転の種類ごとに互いに異なる色が対応付けられており、制御装置４は、所定の運転種類アイコンに対する操作が行われて、その操作された運転種類アイコンに対応した運転が選択されると、その時点で表示されている画面上および以降に表示される画面上の任意の領域について、その選択された運転に対応付けられた色と同系色の背景表示とするようになっている。
【０１８１】
このようにすれば、ユーザは、各種の画面において、任意の領域の背景色を確認することで、選択されている運転の種類を容易に判断することができる。なお、この場合、運転の種類ごとに、各運転のイメージに合致するような色を対応付けるようにするとよい。このようにすれば、ユーザは、任意の領域の背景色に基づいて運転の種類を一層容易に判断することが可能となる。このように、本実施形態によれば、運転設定に関する視認性を一層向上させることができる。
【０１８２】
制御装置４は、運転が実行されてから洗濯機１への電源が再投入された後に表示させるトップ画面では、その実行された運転（前回の運転）に対応した運転種類アイコンが選択された状態とする。このようにすれば、ユーザは、前回の運転と同様の種類の運転を実行させたい場合、運転の種類を選択するための操作を行うことなく、スタートキー３１を操作することにより、直ちに運転を開始することができるため、利便性が向上する。
【０１８３】
また、制御装置４は、運転が実行されてから洗濯機１への電源が再投入された後に表示させるトップ画面では、洗濯運転、洗濯乾燥運転および乾燥運転のそれぞれについて、前回の運転におけるコースが選択されている状態とする。そして、制御装置４は、所定の運転種類アイコンが選択されると、その選択された運転種類アイコンを、前回の運転におけるコースの名称およびそのコースに対応したアイコンを含むような表示に変化させる。
【０１８４】
このようにすれば、ユーザは、所定の運転について、前回のコースと同様のコースでもって実行させたい場合、コースを選択するための操作を行うことなく、スタートキー３１を操作することにより、直ちに運転を開始することができるため、利便性が向上する。また、この場合、運転種類アイコンの表示に基づいて、前回のコース、ひいては現在設定されているコースを容易に確認することができる。
【０１８５】
本実施形態では、運転に対応したコースを選択するためのコース選択画面には、コースごとに対応して設けられた複数のコースアイコン３４が一方向に並ぶように表示されるコース一覧表示領域３５とコースに関する情報が表示されるコース情報表示領域３７とが含まれている。そして、制御装置４は、所定のコースアイコン３４に対する操作が行われると、そのコースアイコン３４に対応したコースに関する情報をコース情報表示領域３７に表示させるようになっている。
【０１８６】
このようなコース選択画面によれば、ユーザは、コース情報表示領域３７の表示内容に基づいて、選択しているコースの概要と行程内容、つまり選択しているコースがどのような構成で行程が設定されているかなどを容易に確認することができる。また、この場合、ユーザは、選択するコースを変更した場合、コース情報表示領域３７の表示内容の変化に基づいて、変更前後のコースの行程構成の差異を容易に認識することができる。
【０１８７】
コース情報表示領域３７には、全ての行程を表す行程表示を画面の横方向に時系列に並ぶように表示させた行程情報表示領域３８が含まれている。このようにすれば、ユーザは、行程情報表示領域３８の表示内容に基づいて、選択しているコースの行程構成を一層容易に理解することができる。
【０１８８】
制御装置４は、コース選択画面上に、コースの内容を設定するためのコース詳細画面へと遷移させるための操作キーである設定変更キー４３を表示させるようになっている。また、制御装置４は、行程情報表示領域３８をコース詳細画面へと遷移させるための操作キーとして機能させるようになっている。このようにすれば、ユーザは、コース選択画面においてコースを選択した後、そのコースの内容について変更を加えたいと考える場合には、設定変更キー４３または行程情報表示領域３８を操作することにより、コース詳細画面を表示させてコース内容を変更することができる。
【０１８９】
本実施形態では、コース選択画面上にも、運転を開始するための操作キーであるスタートキー３１が表示されている。そのため、ユーザは、コース選択画面において、所望するコースを選択した際、そのコースの内容について変更を加える意図がない場合には、そのコース選択画面から他の画面へと遷移させるための操作を伴うことなく、同じ画面上に設けられたスタートキー３１に対する操作を行うことにより、直ちに運転を開始することができるため、利便性が向上する。
【０１９０】
制御装置４は、運転に対応したコースの内容を設定するためのコース詳細画面上に、全ての行程を表す行程表示、行程の条件を表す行程条件表示、各行程の条件を変更するための操作キーである行程条件変更キーなどを表示させるようになっている。行程ごとに専用の画面が用意されている従来の構成では、ユーザは、各行程の詳細内容の設定を変更する際には画面の切り替えを行うための操作を頻繁に行わなければならない。これに対し、本実施形態によれば、ユーザは、１つの画面（コース詳細画面）上で、全ての行程に関する内容確認および設定の変更などを行うことができる。したがって、本実施形態によれば、コースの内容を設定する際における操作性を向上させることができる。
【０１９１】
制御装置４は、各行程表示（洗いアイコン４６、すすぎアイコン４７、脱水アイコン４８および乾燥アイコン４９など）を、画面の左からこの順に横方向に、時系列に並ぶように表示させるようになっている。また、制御装置４は、行程条件表示および行程条件変更キーを行程表示に対して並設するように、具体的には、行程条件表示および行程条件変更キーを行程表示の下方に並ぶように表示させるようになっている。このようにすれば、ユーザは、時系列に並ぶ各行程について、それぞれに対応する行程条件表示がどの表示であるのか、また、それぞれに対応する行程条件変更キーがどの操作キーであるのか、を容易に認識することができる。
【０１９２】
制御装置４は、コース詳細画面上に、各行程についての実施の有無を設定するための操作キーである行程オンオフキー５７〜５９を表示させるようになっている。液晶操作パネルを設けた構成を含む従来の構成では、各行程の実施を無しに設定するためには、増減ボタンを操作したり、個別の回数ボタン（例えば０〜９の数字を表すボタン）を操作したりする必要があった。
【０１９３】
増減ボタンによる操作では、その操作を複数回行う必要が生じる可能性があり、操作性が低下するおそれがある。また、回数ボタンによる操作では、配置しなければならないボタンの数が増加する問題がある。これに対し、本実施形態では、ユーザは、行程オンオフキー５７〜５９を１度操作するだけで、対応する行程の実施の有無を切り替えることができる。このように、本実施形態によれば、各行程についての実施の有無を設定する際における操作性を向上させることができる。
【０１９４】
制御装置４は、行程オンオフキー５７〜５９が操作されることにより、それに対応する行程の実施が無しに設定されると、その行程の条件を変更するための行程条件変更キーによる操作の受付を無効化するようになっている。このようにすれば、行程オンオフキー５７〜５９による操作と、行程条件変更キー（加算キー５０、５２、５４および減算キー５１、５３、５５）による操作との相違が明確化されるため、ユーザは、これら各操作キーを明確に使い分けることができる。
【０１９５】
制御装置４は、行程条件変更キーが操作されることにより、その行程条件変更キーに対応する行程の条件が変更された後、行程オンオフキー５７〜５９が操作されることにより、行程の実施が無しに設定されると、行程条件変更キーの操作に応じて設定された行程の条件を初期化するようになっている。
【０１９６】
このようにすれば、行程オンオフキー５７〜５９が操作された際の挙動が単純化されるため、ユーザは、行程オンオフキー５７〜５９の使用感を容易に把握することができる。また、この場合、ユーザは、行程オンオフキー５７〜５９を、対応する行程の条件を初期化するための操作キーとしても利用することができるため、利便性が向上する。
【０１９７】
制御装置４は、コース詳細画面上に、全ての行程の条件を初期化するための操作キーである設定クリアキー６１を表示させるようになっている。従来の構成では、変更が加えられた行程の条件を元に戻す、つまり初期化するためには、電源を一旦オフにしてから再度オンにすること、コースを再度選択することなどの余分な操作を行う必要があった。
【０１９８】
これに対し、本実施形態によれば、ユーザは、コース詳細画面において行程の条件を変更した後、その変更した条件を初期化したいと考える場合、電源の再投入や画面遷移などのための余分な操作を伴うことなく、同じ画面上に設けられた設定クリアキー６１を操作することにより、変更した行程の条件を初期化することができる。
【０１９９】
本実施形態では、コース詳細画面上にも、運転を開始するための操作キーであるスタートキー３１が表示されている。そのため、ユーザは、コース詳細画面において、コースの内容を設定した際、そのコース詳細画面から他の画面へと遷移させるための操作を伴うことなく、同じ画面上に設けられたスタートキー３１に対する操作を行うことにより、直ちに運転を開始することができるため、利便性が向上する。
【０２００】
制御装置４は、運転の一時停止中に表示されるコース詳細画面には、行程オンオフキー５７〜５９および設定クリアキー６１を表示させないようになっている。洗濯機１は、従来構成と同様、運転の開始後には行程の実施有無の変更を許容しない仕様となっている。仮に、運転の一時停止中に表示されるコース詳細画面に行程オンオフキー５７〜５９または設定クリアキー６１が表示されていた場合、ユーザが、それらの操作により行程の実施有無を変更可能であると誤認識するおそれがある。そこで、本実施形態では、これら不要な操作キー（行程オンオフキーおよび設定クリアキー）を表示させないようになっており、これにより、ユーザが誤った理解をすることが防止される。
【０２０１】
乾燥アイコン４９の下方に表示される行程条件表示５６は、乾燥行程の条件を変更するための行程条件変更キーとしても機能するようになっており、行程条件表示５６に対する操作が行われると、乾燥行程の条件を設定するための乾燥設定画面が表示されるようになっている。通常、乾燥行程の条件設定は、時間や回数の変更だけではなく、複数の乾燥仕上がり設定の中から任意の設定を選択するような形となる。
【０２０２】
コース詳細画面上に、このような複数の乾燥仕上がり設定を全て表示させようとすると、各種の情報が隙間なく表示される可能性があり、視認性が大幅に低下するおそれがある。そこで、本実施形態では、行程条件表示５６に対する操作が行われた場合、あえて画面を遷移させて、複数の乾燥仕上がり設定が一覧表示された乾燥設定画面を表示させるようにしている。このようにすれば、乾燥行程の条件設定を行う際、ユーザは、画面を遷移させるための操作が１度だけ必要になるものの、複数の乾燥仕上がり設定の一覧を確認しながら所望する設定を選択することができるため、利便性が向上する。
【０２０３】
制御装置４は、運転の実行中に表示する運転中画面上に、現在進行中の行程を含む運転における全行程を表す行程表示（洗いアイコン８８、すすぎアイコン８９、脱水アイコン９０および乾燥アイコン９１）および運転残り時間を表示させるようになっている。このようにすれば、ユーザは、運転の実行中に表示される一つの画面（運転中画面）により、運転が終了するまでに要する時間（または経過時間）、経過時間に対する行程の進捗など、一連の運転状況を容易に把握することができる。
【０２０４】
本実施形態では、運転における複数の行程ごとに互いに異なる色が対応付けられており、制御装置４は、運転中画面の任意の領域について、実行中の行程に対応付けられた色と同系色の背景表示とするようになっている。このようにすれば、ユーザは、運転の実行中、運転中画面の任意の領域の背景色を確認することで、現在実行されている、つまり進行中の行程を容易に認識することができる。
【０２０５】
また、この場合、ユーザは、色により行程を識別することが可能であるため、洗濯機１から離れた比較的遠い位置からでも、進行中の行程を素早く且つ確実に把握することができる。なお、この場合、行程ごとに、各行程のイメージに合致するような色を対応付けるようにするとよい。このようにすれば、ユーザは、運転中画面の任意の領域の背景色に基づいて、進行中の行程を一層容易に判断することが可能となる。
【０２０６】
上述した実行中の行程に対応付けられた色と同系色の背景表示とされる任意の領域には、運転残り時間が表示される領域８６が含まれている。このようにすれば、ユーザは、領域８６を確認するだけで、運転残り時間および進行中の行程の双方を、容易に把握することができる。このように、本実施形態によれば、運転中画面に関する視認性を向上させることができる。
【０２０７】
また、領域８６は、運転中画面において画面中央部の上側に設けられ、比較的広い面積が確保されている。そのため、本実施形態によれば、運転残り時間の表示を比較的大きい表示とすることができるうえ、実行中の行程に対応付けられた色と同系色の背景色とされる領域を比較的広い領域とすることができる。したがって、ユーザは、運転残り時間および進行中の行程の双方を一層容易に把握することができる。
【０２０８】
制御装置４は、運転中画面上に、現在進行中の行程が終了するまでに要する時間である行程残り時間および現在進行中の行程が終了するまでに要する回数である行程残り回数を表示させるようになっている。このようにすれば、ユーザは、各行程が終了するまでに要する時間を把握することができる。そして、ユーザは、このように把握した各情報に基づいて、以降の運転（行程）に関する設定変更などを検討することができる。
【０２０９】
本実施形態では、画面の端を含む領域であるヘッダー部２１および領域８６が、上述した実行中の行程に対応付けられた色と同系色の背景表示とされる任意の領域となっている。そのため、実行中の行程に応じて画面の端を含む領域の背景色が変化することになる。このようにすれば、ユーザは、実行中の行程に応じて変化する背景色を一層認識し易くなり、その結果、実行中の行程を一層容易に且つ確実に認識することができる。
【０２１０】
制御装置４は、各行程表示（洗いアイコン８８、すすぎアイコン８９、脱水アイコン９０および乾燥アイコン９１）について、実施中および実施済みの行程に対応する行程表示の背景色をそれぞれに対応付けられた色とし、未実施の行程に対応するアイコンの背景色を白色とする。また、制御装置４は、実施済みの行程表示の下方には、チェックマーク「レ」を表示させる。
【０２１１】
このように、本実施形態では、各行程表示について、その実施状況に応じてアイコンの背景色を変化（反転）させたり、アイコンの下方に「レ」を表示させたり、といった視覚効果を付与するようになっている。このようにすれば、ユーザは、各行程の実施状況（未実施、実施中、実施済み）を容易に確認することができる。
【０２１２】
従来の構成におけるスタートキーは、運転を開始するための操作キーとして機能するだけでなく、運転を一時停止するための操作キー、つまり一時停止キーとしても機能するようになっていた。この点を踏まえ、本実施形態では、制御装置４は、運転中画面において、運転前の各種画面においてコース選択キー３０およびスタートキー３１が配置されていた領域に対応する領域に、運転を一時停止するための一時停止キー８５を表示させる。つまり、本実施形態では、一時停止キー８５を、スタートキー３１が配置されていた領域を含む領域に配置するようにしている。
【０２１３】
このようにすれば、ユーザは、運転を開始した後、何らかの理由により運転を一時停止しようとした場合、直感的に一時停止キー８５の位置を把握することが可能となり、容易に一時停止キー８５を操作して運転を一時停止させることができる。このように、本実施形態によれば、ユーザは、運転の開始および一時停止に関する操作について、従来の構成と同様の感覚で行うことが可能となる。
【０２１４】
制御装置４は、一時停止キー８５に対する操作が行われた際に表示させる一時停止中画面上に、コース詳細画面へと遷移するための操作キーである設定変更キー９４を表示させるようになっている。ユーザは、運転を一時停止した場合、開始した運転におけるコースの内容などが意図したものではなく、その内容を変更したいと考えていることがある。このような場合、ユーザは、一時停止中画面上に表示された設定変更キー９４を操作することにより、コースの内容を意図した内容へと変更することができる。
【０２１５】
この場合、設定変更キー９４は、運転中画面では表示されておらず、一時停止中画面にだけ表示するようにしている。このようにすれば、運転中画面において不必要な操作キーである設定変更キー９４が表示されない分だけ、他の表示や操作キーのための領域を確保することができ、運転中画面の視認性および操作性を良好に維持することができる。
【０２１６】
また、一時停止中画面における領域８６の大きさは、運転残り時間を表示させる必要がないことから、運転中画面における領域８６の大きさよりも小さくてもよい。そこで、制御装置４は、一時停止中画面では、運転中画面に対し、領域８６を縮小させるとともに、その縮小により確保された領域に設定変更キー９４を表示させるようになっている。このようにすれば、一時停止中画面の視認性および操作性を良好に維持しつつ、設定変更キー９４を表示させることができる。
【０２１７】
＜トップ画面の変形例１＞
トップ画面などにおいて、端部領域である領域３２を含むフッター部２５は、画面の端部に設けられていればよい。そこで、例えばトップ画面として、図２４に示すような画面を採用することができる。図２４に示す本変形例１のトップ画面では、フッター部２５は、画面の右端部に配置されている。
【０２１８】
この場合も、スタートキー３１は、画面の端部、具体的には画面の下部右端に設けられ、コース選択キー３０は、スタートキー３１の上方に並んで配置されている。このような本変形例１のトップ画面についても、上記実施形態で説明したトップ画面と同様の視認性および操作性を実現することができる。
【０２１９】
＜トップ画面の変形例２＞
トップ画面などにおいて、スタートキー３１は、画面の端部に表示されていればよい。そこで、例えばトップ画面として、図２５に示すような画面を採用することができる。図２５に示す本変形例２のトップ画面のフッター部２５には、スタートキー３１、コース選択キー３０、設定キー２６、照明オンオフキー２７、温水設定キー２８、予約設定キー２９が、左からこの順で画面の横方向に一列に並ぶように配置されている。
【０２２０】
つまり、この場合、スタートキー３１は、画面の下部左端に配置されており、コース選択キー３０は、そのスタートキー３１の右側に並ぶように配置されている。このような本変形例２のトップ画面についても、上記実施形態で説明したトップ画面と同様の視認性および操作性を実現することができる。
【０２２１】
また、制御装置４は、図２５に示したトップ画面のように、スタートキー３１を画面の左側の端部（画面の下部左端）に表示させる態様と、図３に示したトップ画面のように、スタートキー３１を画面の右側の端部（画面の下部右端）に表示させる態様とを切り替え可能な構成としてもよい。
【０２２２】
一般に、右利きの人であれば、画面の右側の端部に設けられた操作キーを操作し易く、左利きの人であれば、画面の左側に設けられた操作キーを操作し易い。上記構成によれば、ユーザは、自身の利き手に応じて、スタートキー３１の配置を操作しやすい位置に変更することができるため、スタートキー３１の操作性を一層向上させることができる。
【０２２３】
＜トップ画面の変形例３＞
トップ画面において、運転種類アイコンの表示態様は、適宜変更することができる。そこで、例えばトップ画面として、図２６に示すような画面を採用することができる。図２６に示す本変形例３のトップ画面では、運転種類アイコンである洗濯運転アイコン２２、洗濯乾燥運転アイコン２３および乾燥運転アイコン２４は、それぞれに適応する衣類の取り扱い表示となっている。このようにすれば、ユーザは、取り扱い表示を確認しながら、運転の種類、コースの設定などが可能となるため、利便性が向上する。
【０２２４】
＜コース選択画面の変形例１＞
コース選択画面において、コース情報表示領域３７は、コース一覧表示領域３５を除く領域に設けられていればよい。そこで、コース選択画面として、図２７に示すような画面を採用することができる。図２７に示す本変形例１のコース選択画面では、図６に示したコース選択画面に対し、コース一覧表示領域３５およびコース情報表示領域３７の配置が入れ替えられている。
【０２２５】
すなわち、この場合、コース選択画面において、画面中央部の上側にコース情報表示領域３７が設けられ、画面中央部の下側にコース一覧表示領域が設けられている。このような本変形例１のコース選択画面についても、上記実施形態で説明したコース選択画面と同様の視認性および操作性を実現することができる。
【０２２６】
＜コース選択画面の変形例２＞
コース選択画面において、コース一覧表示領域３５は、複数のコースアイコン３４が一方向に並ぶように表示されるものであればよい。そこで、コース選択画面として、図２８に示すような画面を採用することができる。図６などに示した上記実施形態のコース選択画面は、表示部２０が横長の画面であることを前提とした構成であったが、図２８に示す本変形例２では、表示部２０が縦長の画面であることを前提とした構成となっている。
【０２２７】
図２８に示す本変形例２のコース選択画面では、画面の左端部がヘッダー部２１となっており、画面の右端部がフッター部２５となっている。この場合、コース選択画面において、画面中央部の左側にコース一覧表示領域３５が設けられ、画面中央部の右側にコース情報表示領域が設けられている。また、この場合、画面が横長から縦長へと変更されることに伴い、各操作キー、各アイコンなどの表示態様も変更されている。このような本変形例２のコース選択画面についても、上記実施形態で説明したコース選択画面と同様の視認性および操作性を実現することができる。
【０２２８】
＜コース詳細画面の変形例１＞
コース詳細画面において、行程表示、行程条件および行程条件変更キーの配置、表示態様などは適宜変更することができる。なお、ここでは、洗い行程に対応する行程表示、行程条件表示および行程条件変更キーの配置、表示態様の変形例を説明するが、他の行程についても同様に変形することができる。
【０２２９】
図２９（ａ）に示すように、洗いアイコン４６の下方に、行程条件表示を挟んで左右に、行程条件変更キーに相当する加算キー５０および減算キー５１が配置されていてもよい。図２９（ｂ）に示すように、洗いアイコン４６の下方において、行程条件表示の左側に並ぶように、加算キー５０および減算キー５１が配置されていてもよい。図２９（ｃ）に示すように、洗いアイコン４６の下方において、行程条件表示の右側に並ぶように、加算キー５０および減算キー５１が配置されていてもよい。
【０２３０】
図２９（ｄ）に示すように、洗いアイコン４６の下方において、行程条件表示の上側に並ぶように、加算キー５０および減算キー５１が配置されていてもよい。図２９（ｅ）に示すように、洗いアイコン４６の下方において、行程条件表示の下側に並ぶように、加算キー５０および減算キー５１が配置されていてもよい。
【０２３１】
図２９（ｆ）に示すように、洗いアイコン４６の下方に、洗い時間を選択するとともに選択した洗い時間を表示する条件設定表示部９５を設けてもよい。条件設定表示部９５は、複数の洗い時間（０〜３０分）の中から所望する洗い時間を選択することができるような構成となっている。この場合、条件設定表示部９５は、行程条件表示および行程条件変更キーの両方に相当する。図２９（ｇ）に示すように、洗いアイコン４６および行程条件表示が上下に並べて配置されるとともに、それら洗いアイコン４６および行程条件表示を挟んで上下に、加算キー５０および減算キー５１が配置されていてもよい。
【０２３２】
＜コース詳細画面の変形例２＞
制御装置４は、コース詳細画面において、少なくとも一部の行程表示を、その行程表示に対応する行程についての実施の有無を設定するための操作キー、つまり行程オンオフキーとして機能させてもよい。そこで、コース詳細画面として、図３０に示すような画面を採用することができる。
【０２３３】
図３０に示す本変形例２のコース詳細画面では、図８に示したコース詳細画面に対し、行程オンオフキー５７、５８は省かれている点が異なる。また、この場合、制御装置４は、行程表示に相当する洗いアイコン４６およびすすぎアイコン４７を、洗い行程およびすすぎ行程についての実施の有無を設定するための行程オンオフキーとして機能させるようになっている。
【０２３４】
このようにすれば、ユーザは、洗いアイコン４６に対する操作を行うことにより洗い行程の実施有無を切り替えることができるとともに、すすぎアイコン４７に対する操作を行うことによりすすぎ行程の実施有無を切り替えることができる。また、この場合、行程オンオフキー５７、５８を表示させるための領域を他の表示のための領域に充てることが可能となるため、その分だけ、一層視認性を向上させることができる。
【０２３５】
＜コース詳細画面の変形例３＞
コース詳細画面において、各行程の動作種類（強め、弱め、仕上がり具合など）を設定可能としてもよい。そこで、コース詳細画面として、図３１に示すような画面を採用することができる。図３１に示す本変形例３のコース詳細画面では、図８に示したコース詳細画面に対し、強めキー９６、９７、弱めキー９８、９９が追加されている点が異なる。
【０２３６】
この場合、洗いアイコン４６の下方において、減算キー５１と行程オンオフキー５７との間には、強めキー９６および弱めキー９８が配置されている。ユーザは、強めキー９６を操作することにより、洗い行程の動作種類を「強め」に設定することができ、また、弱めキー９８を操作することにより、洗い行程の動作種類を「弱め」に設定することができる。
【０２３７】
また、この場合、すすぎアイコン４７の下方において、減算キー５３と行程オンオフキー５８との間には、強めキー９７および弱めキー９９が配置されている。ユーザは、強めキー９７を操作することにより、すすぎ行程の動作種類を「強め」に設定することができ、また、弱めキー９９を操作することにより、すすぎ行程の動作種類を「弱め」に設定することができる。
【０２３８】
このように、本変形例３のコース詳細画面によれば、各行程の数値（時間、回数）の変更だけでなく、各行程の動作種類を切り替えることができるようになっている。そのため、本変形例３によれば、ユーザは、自身の好みに一層合致した内容で所望する運転を行うことができる。
【０２３９】
＜コース詳細画面の変形例４＞
制御装置４は、コース詳細画面において、行程表示および行程条件表示のうち少なくとも一方を、行程の条件を変更するための操作キー、つまり行程条件変更キーとして機能させてもよい。そこで、洗いアイコン４６および洗い行程に対応する行程条件表示を、洗い行程の条件を変更するための行程条件変更キーとして機能させてもよい。
【０２４０】
この場合、洗いアイコン４６または洗い行程に対応する行程条件表示に対する操作が行われると、図３２に示す洗い行程の条件を設定するための洗い設定画面が表示される。図３２に示すように、洗い設定画面は、図１１に示した乾燥設定画面と同様の態様で表示されるようになっている。
【０２４１】
洗い設定画面には、複数の洗い仕上がり設定（この場合、洗い弱め、洗い普通、洗い強め、水位低め、水位普通、水位高め）のそれぞれに対応するアイコン１００が配置されている。ユーザは、これらのアイコン１００のうち、所望する設定に対応するアイコンを操作することにより、洗い行程の条件を所望するものに設定することができる。具体的には、ユーザは、洗い設定画面では、洗いの強さ、水位を設定することができる。
【０２４２】
洗い設定画面の下部左側には閉じるキー１０１が配置され、下部右側には決定キー１０２が配置されている。閉じるキー１０１は、洗い設定画面での設定変更の操作を反映せずに、洗い設定画面を閉じるための操作キーである。決定キー１０２は、洗い設定画面での設定変更の操作を反映したうえで、洗い設定画面を閉じるための操作キーである。
【０２４３】
また、すすぎアイコン４７およびすすぎ行程に対応する行程条件表示を、すすぎ行程の条件を変更するための行程条件変更キーとして機能させてもよい。この場合、すすぎアイコン４７またはすすぎ行程に対応する行程条件表示に対する操作が行われると、図３３に示すすすぎ行程の条件を設定するためのすすぎ設定画面が表示される。図３３に示すように、すすぎ設定画面は、図１１に示した乾燥設定画面と同様の態様で表示されるようになっている。
【０２４４】
すすぎ設定画面には、複数のすすぎ仕上がり設定（この場合、すすぎ弱め、すすぎ普通、すすぎ強め、すすぎ時間短め、すすぎ時間普通、すすぎ時間長め）のそれぞれに対応するアイコン１０３が配置されている。ユーザは、これらのアイコン１０３のうち、所望する設定に対応するアイコンを操作することにより、すすぎ行程の条件を所望するものに設定することができる。具体的には、ユーザは、すすぎ設定画面では、すすぎの強さ、すすぎ時間を設定することができる。
【０２４５】
すすぎ設定画面の下部左側には閉じるキー１０４が配置され、下部右側には決定キー１０５が配置されている。閉じるキー１０４は、すすぎ設定画面での設定変更の操作を反映せずに、すすぎ設定画面を閉じるための操作キーである。決定キー１０５は、すすぎ設定画面での設定変更の操作を反映したうえで、すすぎ設定画面を閉じるための操作キーである。
【０２４６】
また、脱水アイコン４８および脱水行程に対応する行程条件表示を、脱水行程の条件を変更するための行程条件変更キーとして機能させてもよい。この場合、脱水アイコン４８または脱水行程に対応する行程条件表示に対する操作が行われると、図３４に示す脱水行程の条件を設定するための脱水設定画面が表示される。図３４に示すように、脱水設定画面は、図１１に示した乾燥設定画面と同様の態様で表示されるようになっている。
【０２４７】
脱水設定画面には、複数の脱水仕上がり設定（この場合、脱水弱め、脱水普通、脱水強め、ほぐしあり、ほぐしなし）のそれぞれに対応するアイコン１０６が配置されている。ユーザは、これらのアイコン１０６のうち、所望する設定に対応するアイコンを操作することにより、脱水行程の条件を所望するものに設定することができる。具体的には、ユーザは、脱水設定画面では、脱水の強さ、ほぐし運転の有無を設定することができる。
【０２４８】
脱水設定画面の下部左側には閉じるキー１０７が配置され、下部右側には決定キー１０８が配置されている。閉じるキー１０７は、脱水設定画面での設定変更の操作を反映せずに、脱水設定画面を閉じるための操作キーである。決定キー１０８は、脱水設定画面での設定変更の操作を反映したうえで、脱水設定画面を閉じるための操作キーである。
【０２４９】
＜運転中画面の変形例１、２＞
運転中画面において、実行中の行程に対応付けられた色と同系色の背景表示とする領域は、適宜変更することができる。そこで、運転中画面として、図３５または図３６に示すような画面を採用することができる。図３５に示す本変形例１の運転中画面では、図１８に示した運転中画面に対し、領域１０９が追加されている点などが異なる。
【０２５０】
この場合、領域８６の上下方向の寸法が縮小されており、その縮小により確保された箇所、つまりヘッダー部２１と領域８６との間に、領域１０９が設けられている。そして、この場合、制御装置４は、領域１０９について、実行中の行程に対応付けられた色と同系色の背景表示とするようになっている。
【０２５１】
図３６に示す本変形例２の運転中画面では、図１８に示した運転中画面に対し、領域１１０が追加されている点などが異なる。この場合、領域８６の上下方向および左右方向の寸法が縮小されており、その縮小により確保された箇所に領域１１０が設けられている。具体的には、領域１１０は、領域８６を囲むように設けられている。
【０２５２】
この場合、制御装置４は、領域１１０について、実行中の行程に対応付けられた色と同系色の背景表示とするようになっている。このような本変形例１、２の運転中画面についても、上記実施形態で説明した運転中画面と同様の視認性および操作性を実現することができる。
【０２５３】
（その他の実施形態）
なお、本発明は上記し且つ図面に記載した実施形態に限定されるものではなく、その要旨を逸脱しない範囲で任意に変形、組み合わせ、あるいは拡張することができる。
上記各実施形態で示した数値などは例示であり、それに限定されるものではない。
【０２５４】
本発明は、ドラム式洗濯乾燥機である洗濯機１に限らず、例えば縦軸型の洗濯機や洗濯乾燥機、乾燥機など、衣類に対する所定の処理（洗濯、乾燥、脱臭など）を行うための運転を実行する衣類処理装置全般に適用することができる。
【０２５５】
操作表示器としては、洗濯機１に設けられた操作パネル５に限らずともよく、例えば洗濯機１を利用するユーザが所持するスマートフォン、タブレット端末などの携帯端末の操作表示部であってもよい。この場合、洗濯機１は、携帯端末との間で、通信などを介して、表示のためのデータ、表示された操作キーに対する操作結果を表すデータなどをやり取りすることができる構成とすればよい。
【０２５６】
以上、本発明の複数の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０２５７】
図面中、１は洗濯機（衣類処理装置）、４は制御装置（制御部）、５は操作パネル（操作表示器）、２０は表示部、２１はヘッダー部（任意の領域）、２２は洗濯運転アイコン（運転種類アイコン）、２３は洗濯乾燥運転アイコン（運転種類アイコン）、２４は乾燥運転アイコン（運転種類アイコン）、２２ａ、２３ａ、２４ａは操作可能領域、２６は設定キー（操作キー）、２７は照明オンオフキー（操作キー）、２８は温水設定キー（操作キー）、２９は予約設定キー（操作キー）、３０はコース選択キー（操作キー）、３１はスタートキー（操作キー）、３２は領域（端部領域）、３４はコースアイコン、３５はコース一覧表示領域、３７はコース情報表示領域、３９は洗いアイコン（行程表示）、４０はすすぎアイコン（行程表示）、４１は脱水アイコン（行程表示）、４２は乾燥アイコン（行程表示）、４３は設定変更キー（操作キー）、４６は洗いアイコン（行程表示）、４７はすすぎアイコン（行程表示）、４８は脱水アイコン（行程表示）、４９は乾燥アイコン（行程表示）、５０、５２、５４は加算キー（行程条件変更キー）、５１、５３、５５は減算キー（行程条件変更キー）、５６は行程条件表示（行程条件変更キー）、５７〜５９は行程オンオフキー（操作キー）、６１は設定クリアキー（操作キー）、８５は一時停止キー（操作キー）、８６、１０９、１１０は領域（任意の領域）を示す。
【図１】
2019208890.tif 000003
【図２】
2019208890.tif 000004
【図３】
2019208890.tif 000005
【図４】
2019208890.tif 000006
【図５】
2019208890.tif 000007
【図６】
2019208890.tif 000008
【図７】
2019208890.tif 000009
【図８】
2019208890.tif 000010
【図９】
2019208890.tif 000011
【図１０】
2019208890.tif 000012
【図１１】
2019208890.tif 000013
【図１２】
2019208890.tif 000014
【図１３】
2019208890.tif 000015
【図１４】
2019208890.tif 000016
【図１５】
2019208890.tif 000017
【図１６】
2019208890.tif 000018
【図１７】
2019208890.tif 000019
【図１８】
2019208890.tif 000020
【図１９】
2019208890.tif 000021
【図２０】
2019208890.tif 000022
【図２１】
2019208890.tif 000023
【図２２】
2019208890.tif 000024
【図２３】
2019208890.tif 000025
【図２４】
2019208890.tif 000026
【図２５】
2019208890.tif 000027
【図２６】
2019208890.tif 000028
【図２７】
2019208890.tif 000029
【図２８】
2019208890.tif 000030
【図２９】
2019208890.tif 000031
【図３０】
2019208890.tif 000032
【図３１】
2019208890.tif 000033
【図３２】
2019208890.tif 000034
【図３３】
2019208890.tif 000035
【図３４】
2019208890.tif 000036
【図３５】
2019208890.tif 000037
【図３６】
2019208890.tif 000038